(57)【要約】【課題】受信装置で特性改善のために使用するパラメータテーブルを効率よく作成する方法がなかった。【解決手段】所定の信号を受信する受信部１と、その受信信号の状態を検知して検知情報を出力する検知部４と、受信信号の特性を変更する特性可変部２と、受信信号の特性を改善するための特性制御情報を入力して特性可変部２を制御する特性制御部５とを有する受信装置と、特性可変部２によって特性が改善された所定の信号の特性と、比較基準として用いられる参照信号の特性とを比較して違いの程度を評価し、評価結果情報を出力する信号特性評価部１３と、特性制御情報を順次変化させながら特性制御部５に入力し、評価結果情報が所定の条件を満たす場合には、入力した特性制御情報とそのときの検知情報との対応づけを特性制御関係情報記憶部２５に記録させる制御情報確定部１２とを備え、さらに所定の信号を順次変化させて対応関係情報を作成する。【選択図】図１
2008199127.tif 000002
【特許請求の範囲】
【請求項１】
所定の信号を受信する受信部と、前記受信部が受信した受信信号の状態を検知して検知情報を出力する検知部と、前記受信信号の特性を変更する特性可変部と、前記受信信号の特性を改善するための特性制御情報を入力し、それに基づいて前記特性可変部を制御する特性制御部とを有する受信装置と、
前記所定の信号が前記受信部によって受信され前記特性可変部によって特性が改善された前記受信信号の特性と、比較基準として用いられる参照信号の特性とを比較して違いの程度を評価し、評価結果情報を出力する信号特性評価部と、
前記特性制御情報を順次変化させながら前記特性制御部に入力し、前記評価結果情報が所定の条件を満たす場合には、その入力した前記特性制御情報とそのときの前記検知情報との対応づけを確定する制御情報確定部とを備え、
さらに、前記所定の信号も順次変化させる、対応関係情報作成システム。
【請求項２】
請求項１に記載の対応関係情報作成システムによって確定された前記対応づけのデータを格納した特性制御関係情報記憶部と、
放送信号を受信する受信部と、
前記受信部が受信した受信信号の状態を検知して検知情報を出力する検知部と、
前記受信信号の特性を変更する特性可変部と、
前記検知情報に応じて、前記特性制御関係情報記憶部に基づいて特性制御情報を決定し、前記特性可変部を制御する特性制御部とを備えた、受信装置。
【請求項３】
所定の信号を受信する受信部、前記受信部が受信した受信信号の状態を検知して検知情報を出力する検知部、前記受信信号の特性を変更する特性可変部および、前記受信信号の特性を改善するための特性制御情報を入力し、それに基づいて前記特性可変部を制御する特性制御部をそれぞれ持つ、Ｎ個（Ｎは２以上の整数）の特性改善受信ユニットと、
それぞれの前記特性可変部によって特性が改善されたそれぞれの前記受信信号を合成する合成部と、
前記合成部で合成されて出力される信号の音質を改善するための合成制御情報を入力し、それに基づいて前記合成部を制御する合成制御部と、
を有する受信装置と、
それぞれの前記所定の信号が前記受信部によって受信された際の、前記合成部で合成されて出力される信号の特性と、比較基準として用いられる参照信号の特性とを比較して違いの程度を評価し、評価結果情報を出力する信号特性評価部と、
前記各特性制御情報を順次変化させながら前記各特性制御部に入力するとともに、前記合成制御情報を順次変化させながら前記合成制御部に入力し、前記評価結果情報が所定の条件を満たす場合には、それぞれに入力した前記特性制御情報とそのときの前記各検知情報との各対応づけを確定するともに、その入力した前記合成制御情報とそのときの前記検知情報との対応づけを確定する、制御情報確定部とを備え、
さらに、前記各所定の信号も順次変化させる、対応関係情報作成システム。
【請求項４】
請求項３に記載の対応関係情報作成システムによって確定された、前記特性制御情報とそのときの前記検知情報との対応づけのデータを格納した特性制御関係情報記憶部、アンテナを介して放送信号を受信する受信部、前記受信部が受信した受信信号の状態を検知して検知情報を出力する検知部、前記受信信号の特性を変更する特性可変部および、前記検知情報に応じて前記特性制御関係情報記憶部に基づいて特性制御情報を決定し前記特性可変部を制御する特性制御部をそれぞれ有する、Ｎ個（Ｎは２以上の整数）の特性改善受信ユニットと、
それぞれの前記特性可変部によって特性が変更されたそれぞれの前記受信信号を合成する合成部と、
請求項３に記載の前記対応関係情報作成システムによって確定された、前記合成制御情報とそのときの前記検知情報との対応づけのデータを格納した合成制御関係情報記憶部と、
それぞれの前記検知情報の全部または一部に応じて、前記合成制御関係情報記憶部に基づいて合成制御情報を決定し、前記合成部を制御する合成制御部とを備えた、受信装置。
【請求項５】
所定の信号を受信する受信部、前記受信部が受信した受信信号の状態を検知して検知情報を出力する検知部および、前記受信信号の特性を変更する特性可変部をそれぞれ持つ、Ｎ個（Ｎは２以上の整数）の受信ユニットと、
それぞれの前記特性可変部によって特性が変更されたそれぞれの前記受信信号を合成する合成部と、
前記合成部で合成されて出力される信号の音質を改善するための、それぞれの特性制御情報および合成制御情報を入力し、それらに基づいてそれぞれの前記特性可変部および前記合成部を制御する特性合成制御部と、
それぞれの前記所定の信号が前記受信部によって受信された際の、前記合成部で合成されて出力される信号の特性と、比較基準として用いられる参照信号の特性とを比較して違いの程度を評価し、評価結果情報を出力する信号特性評価部と、
前記各特性制御情報および前記合成制御情報を順次変化させながら前記特性合成制御部に入力し、前記評価結果情報が所定の条件を満たす場合には、それぞれに入力した前記各特性制御情報とそのときの前記各検知情報との各対応づけを確定するともに、その入力した前記合成制御情報とそのときの前記検知情報との対応づけを確定する、制御情報確定部とを備え、
さらに、前記各所定の信号も順次変化させる、対応関係情報作成システム。
【請求項６】
アンテナを介して放送信号を受信する受信部、前記受信部が受信した受信信号の状態を検知して検知情報を出力する検知部および、前記受信信号の特性を変更する特性可変部をそれぞれ有する、Ｎ個（Ｎは２以上の整数）の受信ユニットと、
それぞれの前記特性可変部によって特性が変更されたそれぞれの前記受信信号を合成する合成部と、
請求項５に記載の対応関係情報作成システムによって確定された、前記各特性制御情報とそのときの前記各検知情報との各対応づけのデータおよび前記合成制御情報とそのときの前記検知情報との対応づけのデータを格納した特性合成制御関係情報記憶部と、
それぞれの前記検知情報に応じて、前記特性合成制御関係情報記憶部に基づいてそれぞれの特性制御情報および合成制御情報を決定し、それぞれの前記特性可変部および前記合成部を制御する特性合成制御部とを備えた受信装置。
【請求項７】
放送信号を受信する受信部と、
前記受信部が受信した受信信号の状態を検知して検知情報を出力する検知部と、
前記受信信号の特性を変更する特性可変部と、
前記検知情報に対応して設定される、前記受信信号の特性を改善するための特性制御情報を格納しておく特性制御関係情報記憶部と、
前記検知情報に対応する前記特性制御情報が前記特性制御関係情報記憶部に格納されている場合は、その特性制御情報に基づき、また、対応する前記特性制御情報が格納されていなかった場合は、別に入力される前記特性制御情報に基づき、前記特性可変部を制御する特性制御部と、
前記特性可変部によって特性が改善された前記受信信号の特性と、比較基準として用いられる参照信号の特性とを比較して違いの程度を評価し、評価結果情報を出力する信号特性評価部と、
前記検知情報に対応する前記特性制御情報が前記特性制御関係情報記憶部に格納されていなかった場合には、前記特性制御情報を新たに生成し且つ順次変化させながら前記特性制御部に入力し、その結果得られる前記評価結果情報が所定の条件を満たす場合に、その入力した前記特性制御情報とそのときの前記検知情報との対応づけを確定し前記特性制御関係情報記憶部に記録させる制御情報確定部とを備えた受信装置。
【請求項８】
アンテナを介して放送信号を受信する受信部、前記受信部が受信した受信信号の状態を検知して検知情報を出力する検知部、前記受信信号の特性を変更する特性可変部、前記検知情報に対応して設定される、前記受信信号の特性を改善するための特性制御情報を格納しておく特性制御関係情報記憶部および、前記検知情報に対応する前記特性制御情報が前記特性制御関係情報記憶部に格納されている場合は、その特性制御情報に基づき、また、対応する前記特性制御情報が格納されていなかった場合は、別に入力される前記特性制御情報に基づき、前記特性可変部を制御する特性制御部、をそれぞれ有する、Ｎ個（Ｎは２以上の整数）の特性改善受信ユニットと、
それぞれの前記特性可変部によって特性が改善されたそれぞれの前記受信信号を合成する合成部と、
それぞれの前記検知情報の全部または一部に対応して設定される、前記合成部で合成されて出力される信号の音質を改善するための合成制御情報を格納しておく合成制御関係情報記憶部と、
前記検知情報に対応する前記合成制御情報が前記合成制御関係情報記憶部に格納されている場合は、その合成制御情報に基づき、また、対応する前記合成制御情報が格納されていなかった場合は、別に入力される前記合成制御情報に基づき、前記合成部を制御する合成制御部と、
前記放送信号がそれぞれの前記受信部によって受信された際の、前記合成部で合成されて出力される信号の特性と、比較基準として用いられる参照信号の特性とを比較して違いの程度を評価し、評価結果情報を出力する信号特性評価部と、
前記検知情報に対応する前記特性制御情報が前記特性制御関係情報記憶部に格納されていなかった場合には、前記各特性制御情報を新たに生成し且つ順次変化させながら前記各特性制御部に入力するとともに、前記合成制御情報を新たに生成し且つ順次変化させながら前記合成制御部に入力し、その結果得られる前記評価結果情報が所定の条件を満たす場合に、それぞれに入力した前記特性制御情報とそのときの前記各検知情報との各対応づけを確定し前記各特性制御関係情報記憶部に記録させるとともに、その入力した前記合成制御情報とそのときの前記検知情報との対応づけを確定し前記合成制御関係情報記憶部に記録させる制御情報確定部とを備えた受信装置。
【請求項９】
アンテナを介して放送信号を受信する受信部、前記受信部が受信した受信信号の状態を検知して検知情報を出力する検知部および、前記受信信号の特性を変更する特性可変部をそれぞれ有する、Ｎ個（Ｎは２以上の整数）の受信ユニットと、
それぞれの前記特性可変部によって特性が変更されたそれぞれの前記受信信号を合成する合成部と、
それぞれの前記検知情報に対応して設定される、前記合成部で合成されて出力される信号の音質を改善するための、それぞれの前記特性可変部に入力するそれぞれの特性制御情報および前記合成部に入力する合成制御情報を格納しておく特性合成制御関係情報記憶部と、
前記検知情報に対応する前記各特性制御情報および前記合成制御情報が前記特性合成制御関係情報記憶部に格納されている場合は、その各特性制御情報および合成制御情報に基づき、また、対応する前記各特性制御情報および前記合成制御情報が格納されていなかった場合は、別に入力される前記各特性制御情報および前記合成制御情報に基づき、前記各特性可変部および前記合成部を制御する特性合成制御部と、
前記放送信号がそれぞれの前記受信部によって受信された際の、前記合成部で合成されて出力される信号の特性と、比較基準として用いられる参照信号の特性とを比較して違いの程度を評価し、評価結果情報を出力する信号特性評価部と、
前記検知情報に対応する前記特性制御情報が前記特性合成制御関係情報記憶部に格納されていなかった場合は、前記各特性制御情報および前記合成制御情報を新たに生成し且つ順次変化させながら前記特性合成制御部に入力し、その結果得られる前記評価結果情報が所定の条件を満たす場合に、それぞれに入力した前記各特性制御情報とそのときの前記各検知情報との各対応づけおよび、その入力した前記合成制御情報とそのときの前記検知情報との対応づけを、確定し前記特性合成制御関係情報記憶部に記録させる制御情報確定部とを備えた受信装置。
【請求項１０】
前記信号特性評価部は、少なくとも音質を基準にして前記違いの程度を評価する、請求項１、３、５のいずれかに記載の対応関係情報作成システム。
【請求項１１】
前記信号特性評価部は、少なくとも、歪率特性、周波数特性、ステレオ特性、信号対ノイズ比特性、およびそれぞれの変動特性のいずれかの特性を基準にして前記違いの程度を評価する、請求項１０に記載の対応関係情報作成システム。
【請求項１２】
前記信号特性評価部は、少なくともノイズレベルを基準にして前記違いの程度を評価する、請求項１、３、５のいずれかに記載の対応関係情報作成システム。
【請求項１３】
前記信号特性評価部は、受信系ノイズ、熱雑音系ノイズ、発振系ノイズ、増幅系ノイズ、復調系ノイズ、および変調系ノイズの受信に起因するノイズ、マルチパス妨害ノイズ、隣接チャンネル妨害ノイズ、過変調妨害ノイズ、フェージングノイズ、および外乱ノイズの前記検知情報に起因するノイズ、の少なくともいずれかのノイズレベルを基準にして前記違いの程度を評価する、請求項１２に記載の対応関係情報作成システム。
【請求項１４】
前記信号特性評価部は、少なくとも音質を基準にして前記違いの程度を評価する、請求項７〜９のいずれかに記載の受信装置。
【請求項１５】
前記信号特性評価部は、少なくとも、歪率特性、周波数特性、ステレオ特性、信号対ノイズ比特性、およびそれぞれの変動特性のいずれかの特性を基準にして前記違いの程度を評価する、請求項１４に記載の受信装置。
【請求項１６】
前記信号特性評価部は、少なくともノイズレベルを基準にして前記違いの程度を評価する、請求項７〜９のいずれかに記載の受信装置。
【請求項１７】
前記信号特性評価部は、受信系ノイズ、熱雑音系ノイズ、発振系ノイズ、増幅系ノイズ、復調系ノイズ、および変調系ノイズの受信に起因するノイズ、マルチパス妨害ノイズ、隣接チャンネル妨害ノイズ、過変調妨害ノイズ、フェージングノイズ、および外乱ノイズの前記検知情報に起因するノイズ、の少なくともいずれかのノイズレベルを基準にして前記違いの程度を評価する、請求項１６に記載の受信装置。
【請求項１８】
放送信号を受信する受信部と、前記受信部が受信した受信信号の状態を検知して検知情報を出力する検知部と、前記受信信号の特性を変更する特性可変部と、予め前記検知情報に対応して設定された、前記受信信号の特性を改善するための特性制御情報を格納した特性制御関係情報記憶部と、前記検知情報に応じて前記特性制御関係情報記憶部に基づいて前記特性制御情報を決定し、前記特性可変部を制御する特性制御部と、を備えた受信装置の特性制御関係情報記憶部作成方法であって、
前記受信部に所定の信号を入力する所定信号入力ステップと、
前記特性制御情報を順次変化させて前記特性可変部に入力する特性制御情報入力ステップと、
前記特性可変部によって特性が変更された後の前記所定の信号の特性と、比較基準として用いる参照信号の特性とを比較して違いの程度を評価し、評価結果情報を出力する信号特性評価ステップと、
前記評価結果情報が所定の条件を満たす場合には、前記特性可変部に入力した前記特性制御情報とそのときの前記検知情報との対応づけを前記特性制御関係情報記憶部に記録する特性制御関係情報記録ステップとを備えた、特性制御関係情報作成方法。
【請求項１９】
請求項１、３、５のいずれかに記載の対応関係情報作成システムの、または請求項７〜９のいずれかに記載の受信装置の、信号の特性を参照信号の特性と比較して違いの程度を評価し評価結果情報を出力する前記信号特性評価部、前記評価結果情報が所定の条件を満たす場合に、その入力した前記特性制御情報とそのときの前記検知情報との対応づけを確定する前記制御情報確定部としてコンピュータを機能させるためのプログラム。
【請求項２０】
請求項１９に記載のプログラムを記録した記録媒体であって、コンピュータで利用可能な記録媒体。
【発明の詳細な説明】
【技術分野】
【０００１】
本発明は、放送および通信の分野で使用される対応関係情報作成システム、受信装置および特性制御関係情報作成方法等に関するものである。
【背景技術】
【０００２】
携帯電話やカーステレオなどの音声を受信する受信装置では、入力電界強度などに応じて受信信号の特性を変化させて、実用上の聞き易さを確保している。
【０００３】
アナログＩＣやディスクリートパーツなどの構成によりアナログ的に受信信号の特性を制御するものでは、制御特性にばらつきが生じやすく、場合によっては調整が必要であった。この問題に対応するために、受信信号の状態に対応した特性改善のためのパラメータを予め記憶させておき、受信状態に応じたパラメータを用いてデジタル的に受信信号の特性を制御する受信装置が開示されている（例えば、特許文献１参照）。
【０００４】
図１６は、特許文献１に開示されているＦＭ放送受信装置のブロック図を示している。
【０００５】
ＦＭ放送電波をアンテナ１０７によって受信する受信部１０１と、受信部１０１で受信した受信信号をデジタル信号に変換するＡ／Ｄ変換部１０２を備えている。また、受信部１０１による受信状態を解析する受信状態解析部１０４と、デジタル信号に変換された受信信号に対して特性改善処理を行うデジタル信号処理部１０３と、デジタル信号処理部１０３を制御する制御部１０５を備えている。また、デジタル信号処理部１０３の各種パラメータ値を記憶させているパラメータテーブル記憶部１０６を備えている。
【０００６】
パラメータテーブル記憶部１０６には、特性改善のためにデジタル信号処理部１０３に設定するパラメータが、各種受信状態に対応して予めプリセットされている。
【０００７】
受信部１０１で受信されたＦＭ放送電波は、Ａ／Ｄ変換部１０２でデジタル信号に変換されてデジタル信号処理部１０３に入力される。一方、受信されたＦＭ放送電波は受信状態解析部１０４で受信状態が解析されて、その解析結果に応じて制御部１０５により、パラメータテーブル記憶部１０６からパラメータ値が読み出されて、デジタル信号処理部１０３のパラメータ値が設定されて、デジタル信号に変換されたＦＭ放送電波に対して特性改善処理が実行される。
【０００８】
このように、特性改善のための所要特性をパラメータテーブル記憶部１０６に予めプリセットしておき、受信状態に応じた所要特性を用いてデジタル的な信号処理による特性改善を行うので、特性のばらつきをなくすことができる。また、各々の特性を入力電界強度に応じて独立に特性改善することができるので、アナログ的に制御する受信装置のような相互の干渉がなく、調整の必要もなくすことができる。
【特許文献１】特許第２７７０４７５号公報
【発明の開示】
【発明が解決しようとする課題】
【０００９】
しかしながら、従来の特許文献１のような受信装置で使用されるパラメータテーブルをどのようにして作成するかは不明である。
【００１０】
すなわち、特許文献１には、パラメータテーブル記憶部１０６に予めプリセットしておく特性改善のための所要特性を持ったパラメータテーブルの作成方法については開示されておらず、そのパラメータテーブルを機械的に作成する方法については示唆もされていない。
【００１１】
仮に、そのパラメータテーブルを人間が作成していたとしたならば、多大な時間と労力が必要となる。
【００１２】
本発明は、上述した従来の課題を解決するもので、受信信号の特性を改善処理するために使用される、検知情報と制御情報を関係づけるテーブルを自動的に作成できる、対応関係情報作成システム、受信装置、および特性制御関係情報作成方法等を提供することを目的とする。
【課題を解決するための手段】
【００１３】
上述した課題を解決するために、第１の本発明は、
所定の信号を受信する受信部と、前記受信部が受信した受信信号の状態を検知して検知情報を出力する検知部と、前記受信信号の特性を変更する特性可変部と、前記受信信号の特性を改善するための特性制御情報を入力し、それに基づいて前記特性可変部を制御する特性制御部とを有する受信装置と、
前記所定の信号が前記受信部によって受信され前記特性可変部によって特性が改善された前記受信信号の特性と、比較基準として用いられる参照信号の特性とを比較して違いの程度を評価し、評価結果情報を出力する信号特性評価部と、
前記特性制御情報を順次変化させながら前記特性制御部に入力し、前記評価結果情報が所定の条件を満たす場合には、その入力した前記特性制御情報とそのときの前記検知情報との対応づけを確定する制御情報確定部とを備え、
さらに、前記所定の信号も順次変化させる、対応関係情報作成システムである。
【００１４】
また、第２の本発明は、
第１の本発明の対応関係情報作成システムによって確定された前記対応づけのデータを格納した特性制御関係情報記憶部と、
放送信号を受信する受信部と、
前記受信部が受信した受信信号の状態を検知して検知情報を出力する検知部と、
前記受信信号の特性を変更する特性可変部と、
前記検知情報に応じて、前記特性制御関係情報記憶部に基づいて特性制御情報を決定し、前記特性可変部を制御する特性制御部とを備えた、受信装置である。
【００１５】
また、第３の本発明は、
所定の信号を受信する受信部、前記受信部が受信した受信信号の状態を検知して検知情報を出力する検知部、前記受信信号の特性を変更する特性可変部および、前記受信信号の特性を改善するための特性制御情報を入力し、それに基づいて前記特性可変部を制御する特性制御部をそれぞれ持つ、Ｎ個（Ｎは２以上の整数）の特性改善受信ユニットと、
それぞれの前記特性可変部によって特性が改善されたそれぞれの前記受信信号を合成する合成部と、
前記合成部で合成されて出力される信号の音質を改善するための合成制御情報を入力し、それに基づいて前記合成部を制御する合成制御部と、
を有する受信装置と、
それぞれの前記所定の信号が前記受信部によって受信された際の、前記合成部で合成されて出力される信号の特性と、比較基準として用いられる参照信号の特性とを比較して違いの程度を評価し、評価結果情報を出力する信号特性評価部と、
前記各特性制御情報を順次変化させながら前記各特性制御部に入力するとともに、前記合成制御情報を順次変化させながら前記合成制御部に入力し、前記評価結果情報が所定の条件を満たす場合には、それぞれに入力した前記特性制御情報とそのときの前記各検知情報との各対応づけを確定するともに、その入力した前記合成制御情報とそのときの前記検知情報との対応づけを確定する、制御情報確定部とを備え、
さらに、前記各所定の信号も順次変化させる、対応関係情報作成システムである。
【００１６】
また、第４の本発明は、
第３の本発明の対応関係情報作成システムによって確定された、前記特性制御情報とそのときの前記検知情報との対応づけのデータを格納した特性制御関係情報記憶部、アンテナを介して放送信号を受信する受信部、前記受信部が受信した受信信号の状態を検知して検知情報を出力する検知部、前記受信信号の特性を変更する特性可変部および、前記検知情報に応じて前記特性制御関係情報記憶部に基づいて特性制御情報を決定し前記特性可変部を制御する特性制御部をそれぞれ有する、Ｎ個（Ｎは２以上の整数）の特性改善受信ユニットと、
それぞれの前記特性可変部によって特性が変更されたそれぞれの前記受信信号を合成する合成部と、
第３の本発明の前記対応関係情報作成システムによって確定された、前記合成制御情報とそのときの前記検知情報との対応づけのデータを格納した合成制御関係情報記憶部と、
それぞれの前記検知情報の全部または一部に応じて、前記合成制御関係情報記憶部に基づいて合成制御情報を決定し、前記合成部を制御する合成制御部とを備えた、受信装置である。
【００１７】
また、第５の本発明は、
所定の信号を受信する受信部、前記受信部が受信した受信信号の状態を検知して検知情報を出力する検知部および、前記受信信号の特性を変更する特性可変部をそれぞれ持つ、Ｎ個（Ｎは２以上の整数）の受信ユニットと、
それぞれの前記特性可変部によって特性が変更されたそれぞれの前記受信信号を合成する合成部と、
前記合成部で合成されて出力される信号の音質を改善するための、それぞれの特性制御情報および合成制御情報を入力し、それらに基づいてそれぞれの前記特性可変部および前記合成部を制御する特性合成制御部と、
それぞれの前記所定の信号が前記受信部によって受信された際の、前記合成部で合成されて出力される信号の特性と、比較基準として用いられる参照信号の特性とを比較して違いの程度を評価し、評価結果情報を出力する信号特性評価部と、
前記各特性制御情報および前記合成制御情報を順次変化させながら前記特性合成制御部に入力し、前記評価結果情報が所定の条件を満たす場合には、それぞれに入力した前記各特性制御情報とそのときの前記各検知情報との各対応づけを確定するともに、その入力した前記合成制御情報とそのときの前記検知情報との対応づけを確定する、制御情報確定部とを備え、
さらに、前記各所定の信号も順次変化させる、対応関係情報作成システムである。
【００１８】
また、第６の本発明は、
アンテナを介して放送信号を受信する受信部、前記受信部が受信した受信信号の状態を検知して検知情報を出力する検知部および、前記受信信号の特性を変更する特性可変部をそれぞれ有する、Ｎ個（Ｎは２以上の整数）の受信ユニットと、
それぞれの前記特性可変部によって特性が変更されたそれぞれの前記受信信号を合成する合成部と、
第５の本発明の対応関係情報作成システムによって確定された、前記各特性制御情報とそのときの前記各検知情報との各対応づけのデータおよび前記合成制御情報とそのときの前記検知情報との対応づけのデータを格納した特性合成制御関係情報記憶部と、
それぞれの前記検知情報に応じて、前記特性合成制御関係情報記憶部に基づいてそれぞれの特性制御情報および合成制御情報を決定し、それぞれの前記特性可変部および前記合成部を制御する特性合成制御部とを備えた受信装置である。
【００１９】
また、第７の本発明は、
放送信号を受信する受信部と、
前記受信部が受信した受信信号の状態を検知して検知情報を出力する検知部と、
前記受信信号の特性を変更する特性可変部と、
前記検知情報に対応して設定される、前記受信信号の特性を改善するための特性制御情報を格納しておく特性制御関係情報記憶部と、
前記検知情報に対応する前記特性制御情報が前記特性制御関係情報記憶部に格納されている場合は、その特性制御情報に基づき、また、対応する前記特性制御情報が格納されていなかった場合は、別に入力される前記特性制御情報に基づき、前記特性可変部を制御する特性制御部と、
前記特性可変部によって特性が改善された前記受信信号の特性と、比較基準として用いられる参照信号の特性とを比較して違いの程度を評価し、評価結果情報を出力する信号特性評価部と、
前記検知情報に対応する前記特性制御情報が前記特性制御関係情報記憶部に格納されていなかった場合には、前記特性制御情報を新たに生成し且つ順次変化させながら前記特性制御部に入力し、その結果得られる前記評価結果情報が所定の条件を満たす場合に、その入力した前記特性制御情報とそのときの前記検知情報との対応づけを確定し前記特性制御関係情報記憶部に記録させる制御情報確定部とを備えた受信装置である。
【００２０】
また、第８の本発明は、
アンテナを介して放送信号を受信する受信部、前記受信部が受信した受信信号の状態を検知して検知情報を出力する検知部、前記受信信号の特性を変更する特性可変部、前記検知情報に対応して設定される、前記受信信号の特性を改善するための特性制御情報を格納しておく特性制御関係情報記憶部および、前記検知情報に対応する前記特性制御情報が前記特性制御関係情報記憶部に格納されている場合は、その特性制御情報に基づき、また、対応する前記特性制御情報が格納されていなかった場合は、別に入力される前記特性制御情報に基づき、前記特性可変部を制御する特性制御部、をそれぞれ有する、Ｎ個（Ｎは２以上の整数）の特性改善受信ユニットと、
それぞれの前記特性可変部によって特性が改善されたそれぞれの前記受信信号を合成する合成部と、
それぞれの前記検知情報の全部または一部に対応して設定される、前記合成部で合成されて出力される信号の音質を改善するための合成制御情報を格納しておく合成制御関係情報記憶部と、
前記検知情報に対応する前記合成制御情報が前記合成制御関係情報記憶部に格納されている場合は、その合成制御情報に基づき、また、対応する前記合成制御情報が格納されていなかった場合は、別に入力される前記合成制御情報に基づき、前記合成部を制御する合成制御部と、
前記放送信号がそれぞれの前記受信部によって受信された際の、前記合成部で合成されて出力される信号の特性と、比較基準として用いられる参照信号の特性とを比較して違いの程度を評価し、評価結果情報を出力する信号特性評価部と、
前記検知情報に対応する前記特性制御情報が前記特性制御関係情報記憶部に格納されていなかった場合には、前記各特性制御情報を新たに生成し且つ順次変化させながら前記各特性制御部に入力するとともに、前記合成制御情報を新たに生成し且つ順次変化させながら前記合成制御部に入力し、その結果得られる前記評価結果情報が所定の条件を満たす場合に、それぞれに入力した前記特性制御情報とそのときの前記各検知情報との各対応づけを確定し前記各特性制御関係情報記憶部に記録させるとともに、その入力した前記合成制御情報とそのときの前記検知情報との対応づけを確定し前記合成制御関係情報記憶部に記録させる制御情報確定部とを備えた受信装置である。
【００２１】
また、第９の本発明は、
アンテナを介して放送信号を受信する受信部、前記受信部が受信した受信信号の状態を検知して検知情報を出力する検知部および、前記受信信号の特性を変更する特性可変部をそれぞれ有する、Ｎ個（Ｎは２以上の整数）の受信ユニットと、
それぞれの前記特性可変部によって特性が変更されたそれぞれの前記受信信号を合成する合成部と、
それぞれの前記検知情報に対応して設定される、前記合成部で合成されて出力される信号の音質を改善するための、それぞれの前記特性可変部に入力するそれぞれの特性制御情報および前記合成部に入力する合成制御情報を格納しておく特性合成制御関係情報記憶部と、
前記検知情報に対応する前記各特性制御情報および前記合成制御情報が前記特性合成制御関係情報記憶部に格納されている場合は、その各特性制御情報および合成制御情報に基づき、また、対応する前記各特性制御情報および前記合成制御情報が格納されていなかった場合は、別に入力される前記各特性制御情報および前記合成制御情報に基づき、前記各特性可変部および前記合成部を制御する特性合成制御部と、
前記放送信号がそれぞれの前記受信部によって受信された際の、前記合成部で合成されて出力される信号の特性と、比較基準として用いられる参照信号の特性とを比較して違いの程度を評価し、評価結果情報を出力する信号特性評価部と、
前記検知情報に対応する前記特性制御情報が前記特性合成制御関係情報記憶部に格納されていなかった場合は、前記各特性制御情報および前記合成制御情報を新たに生成し且つ順次変化させながら前記特性合成制御部に入力し、その結果得られる前記評価結果情報が所定の条件を満たす場合に、それぞれに入力した前記各特性制御情報とそのときの前記各検知情報との各対応づけおよび、その入力した前記合成制御情報とそのときの前記検知情報との対応づけを、確定し前記特性合成制御関係情報記憶部に記録させる制御情報確定部とを備えた受信装置である。
【００２２】
また、第１０の本発明は、
前記信号特性評価部は、少なくとも音質を基準にして前記違いの程度を評価する、第１、第３、第５のいずれかの本発明の対応関係情報作成システムである。
【００２３】
また、第１１の本発明は、
前記信号特性評価部は、少なくとも、歪率特性、周波数特性、ステレオ特性、信号対ノイズ比特性、およびそれぞれの変動特性のいずれかの特性を基準にして前記違いの程度を評価する、第１０の本発明の対応関係情報作成システムである。
【００２４】
また、第１２の本発明は、
前記信号特性評価部は、少なくともノイズレベルを基準にして前記違いの程度を評価する、第１、第３、第５のいずれかの本発明の対応関係情報作成システムである。
【００２５】
また、第１３の本発明は、
前記信号特性評価部は、受信系ノイズ、熱雑音系ノイズ、発振系ノイズ、増幅系ノイズ、復調系ノイズ、および変調系ノイズの受信に起因するノイズ、マルチパス妨害ノイズ、隣接チャンネル妨害ノイズ、過変調妨害ノイズ、フェージングノイズ、および外乱ノイズの前記検知情報に起因するノイズ、の少なくともいずれかのノイズレベルを基準にして前記違いの程度を評価する、第１２の本発明の対応関係情報作成システムである。
【００２６】
また、第１４の本発明は、
前記信号特性評価部は、少なくとも音質を基準にして前記違いの程度を評価する、第７〜第９のいずれかの本発明の受信装置である。
【００２７】
また、第１５の本発明は、
前記信号特性評価部は、少なくとも、歪率特性、周波数特性、ステレオ特性、信号対ノイズ比特性、およびそれぞれの変動特性のいずれかの特性を基準にして前記違いの程度を評価する、第１４の本発明の受信装置である。
【００２８】
また、第１６の本発明は、
前記信号特性評価部は、少なくともノイズレベルを基準にして前記違いの程度を評価する、第７〜第９のいずれかの本発明の受信装置である。
【００２９】
また、第１７の本発明は、
前記信号特性評価部は、受信系ノイズ、熱雑音系ノイズ、発振系ノイズ、増幅系ノイズ、復調系ノイズ、および変調系ノイズの受信に起因するノイズ、マルチパス妨害ノイズ、隣接チャンネル妨害ノイズ、過変調妨害ノイズ、フェージングノイズ、および外乱ノイズの前記検知情報に起因するノイズ、の少なくともいずれかのノイズレベルを基準にして前記違いの程度を評価する、第１６の本発明の受信装置である。
【００３０】
また、第１８の本発明は、
放送信号を受信する受信部と、前記受信部が受信した受信信号の状態を検知して検知情報を出力する検知部と、前記受信信号の特性を変更する特性可変部と、予め前記検知情報に対応して設定された、前記受信信号の特性を改善するための特性制御情報を格納した特性制御関係情報記憶部と、前記検知情報に応じて前記特性制御関係情報記憶部に基づいて前記特性制御情報を決定し、前記特性可変部を制御する特性制御部と、を備えた受信装置の特性制御関係情報記憶部作成方法であって、
前記受信部に所定の信号を入力する所定信号入力ステップと、
前記特性制御情報を順次変化させて前記特性可変部に入力する特性制御情報入力ステップと、
前記特性可変部によって特性が変更された後の前記所定の信号の特性と、比較基準として用いる参照信号の特性とを比較して違いの程度を評価し、評価結果情報を出力する信号特性評価ステップと、
前記評価結果情報が所定の条件を満たす場合には、前記特性可変部に入力した前記特性制御情報とそのときの前記検知情報との対応づけを前記特性制御関係情報記憶部に記録する特性制御関係情報記録ステップとを備えた、特性制御関係情報作成方法である。
【００３１】
また、第１９の本発明は、
第１、第３、第５のいずれかの本発明の対応関係情報作成システムの、または第７〜第９のいずれかの本発明の受信装置の、信号の特性を参照信号の特性と比較して違いの程度を評価し評価結果情報を出力する前記信号特性評価部、前記評価結果情報が所定の条件を満たす場合に、その入力した前記特性制御情報とそのときの前記検知情報との対応づけを確定する前記制御情報確定部としてコンピュータを機能させるためのプログラムである。
【００３２】
また、第２０の本発明は、
第１９の本発明のプログラムを記録した記録媒体であって、コンピュータで利用可能な記録媒体である。
【発明の効果】
【００３３】
本発明により、受信信号の特性を改善処理するために使用される、検知情報と制御情報を関係づけるテーブルを自動的に作成できる、対応関係情報作成システム、受信装置、および特性制御関係情報作成方法等を提供できる。
【発明を実施するための最良の形態】
【００３４】
以下、本発明の実施の形態について、図面を用いて説明する。
【００３５】
（実施の形態１）
図１に、本発明の実施の形態１の受信装置のテーブル作成システムのブロック図を示す。図１に示すテーブル作成システムが、本発明の対応関係情報作成システムの一例にあたる。
【００３６】
本実施の形態１のテーブル作成システムは、本実施の形態１の受信装置に、信号特性評価部１３および制御情報確定部１２を接続して制御情報テーブル２５を作成する。
【００３７】
本実施の形態１の受信装置は、アンテナ２０によって放送電波を受信する受信部１と、受信部１で受信した受信信号に対して特性改善処理を行う受信特性可変部２を備えている。そして、受信部１における受信状態を検知する受信入力検知部４と、受信入力検知部４の検知結果に基づいて受信特性可変部２を制御する特性制御部５と、特性制御部５が受信特性可変部２を制御する際に参照する制御情報テーブル２５を備えている。制御情報テーブル２５は、フラッシュＲＯＭなどに格納されている書き換えが可能なテーブルである。
【００３８】
なお、制御情報テーブル２５が、本発明の特性制御関係情報記憶部の一例にあたる。
【００３９】
本実施の形態１のテーブル作成システムの構成は、上記の受信装置の構成に、受信特性可変部２の出力を評価する信号特性評価部１３と、信号特性評価部１３の評価結果に応じて、制御情報テーブル２５への情報の記録を指示する制御情報確定部１２とを加えた構成である。
【００４０】
設計段階において、本実施の形態１の受信装置の構成に制御情報確定部１２および信号特性評価部１３を接続して、制御情報テーブル２５を作成する。
【００４１】
なお、本実施の形態１のテーブル作成システムにより制御情報テーブル２５を作成する際には、受信装置にアンテナ２０が接続されていなくてもよい。
【００４２】
信号特性評価部１３は、模擬信号が受信部１に入力された際に、受信特性可変部２から出力される信号と、模擬信号とは別に入力される参照信号とを比較して評価し、受信特性可変部２から出力される信号の、音質レベルおよびノイズレベルの少なくともいずれか一方の良否を判定できる評価結果情報を出力する。
【００４３】
ここで、参照信号とは、模擬信号に対応した信号であり、ノイズが含まれておらず特性も変化していない信号である。例えば、模擬信号として、実環境でアンテナ２０によって音楽の放送電波を受信したときの受信部１に入力される信号を記録したものを用い、それに対して、その音楽と同じ曲の入った音楽ＣＤの音楽データを参照信号として用いる。このように、模擬信号は、参照信号にノイズが含まれたり特性が変化したような、信号の特性およびノイズの少なくともいずれか一方に関して参照信号と所定の関係を有する信号である。
【００４４】
なお、制御情報テーブル２５を作成する際に受信部１に入力する模擬信号が、本発明の所定の信号の一例にあたる。
【００４５】
信号特性評価部１３は、例えば、模擬信号と参照信号の同期をとり、ＰＥＡＱ法のアルゴリズムを用いて算出したＰＥＡＱ値を、音質レベルの良否を判定できる評価結果情報として出力する。また、例えば、模擬信号と参照信号の同期をとり、参照信号の無音部分に対応する模擬信号の部分からＳＮ比を算出し、ノイズレベルの良否を判定できる評価結果情報として出力する。また、これらを組み合わせて、音質レベルとノイズレベルの両方の良否を判定できる評価結果情報を出力させるようにしてもよい。
【００４６】
また、音質レベルの良否を判定する基準として、少なくとも、歪率特性、周波数特性、ステレオ特性、信号対ノイズ比特性、およびそれぞれの変動特性のいずれかの特性を用いてもよい。
【００４７】
また、ノイズレベルの良否を判定する基準として、受信系ノイズ、熱雑音系ノイズ、発振系ノイズ、増幅系ノイズ、復調系ノイズ、および変調系ノイズの受信に起因するノイズ、マルチパス妨害ノイズ、隣接チャンネル妨害ノイズ、過変調妨害ノイズ、フェージングノイズ、および外乱ノイズの前記検知情報に起因するノイズ、の少なくともいずれかのノイズレベルを用いてもよい。
【００４８】
次に、本実施の形態１のテーブル作成システムで制御情報テーブル２５を作成する際の動作について説明する。
【００４９】
図２（ａ）は、本実施の形態１のテーブル作成システムの、制御情報テーブル２５を作成する際のフローを示している。
【００５０】
なお、ここでは、信号特性評価部１３は、受信特性可変部２から出力される信号の音質を評価して、音質レベルを判断できる評価結果情報を出力するものとして説明する。
【００５１】
まず、実際の受信環境においてアンテナ２０から入力されると想定される模擬信号を、模擬的に受信部１に入力する（Ｓ３０）。受信入力検知部４は、受信部１における受信状態を検知して、その検知情報を特性制御部５に通知する。
【００５２】
そして、制御情報確定部１２は、受信特性可変部２に入力する制御パラメータを、特性制御部５に指示して受信特性可変部２に入力させる（Ｓ３１）。信号特性評価部１３は、入力された制御パラメータにしたがって特性改善されて受信特性可変部２から出力される模擬信号の音質を評価し、その評価結果情報を制御情報確定部１２に通知する。
【００５３】
制御情報確定部１２は、信号特性評価部１３から取得した評価結果情報が、所定の音質レベル以上か否かを判定する（Ｓ３２）。ここで、所定の音質レベルとは、少なくとも制御情報テーブル２５に設定するためには必要と規定した、予め決めておいた音質レベルであり、本発明の所定の条件の一例にあたる。
【００５４】
そして、制御情報確定部１２は、現在受信している模擬信号について、検知情報に対応する制御パラメータの関係情報を既に以前に制御情報テーブル２５へ記録させていた場合には、今回信号特性評価部１３から取得した評価結果情報の音質レベルの方が、既に制御情報テーブル２５に記録させた関係情報に対する音質レベルよりも高いか否かを判定する（Ｓ３３）。そして、今回信号特性評価部１３から取得した評価結果情報の音質レベルの方が高い場合には、今回の制御パラメータの情報を現在の検知情報に対応づける制御パラメータと確定し、制御情報テーブル２５の内容を今回の制御パラメータの情報に更新するように、特性制御部５に記録を指示する（Ｓ３４）。今回信号特性評価部１３から取得した評価結果情報の音質レベルが、既に記録させた制御パラメータに対する音質レベル以下だった場合には、特性制御部５への記録の指示は出さず、制御情報テーブル２５の内容を更新させない。
【００５５】
つまり、今回信号特性評価部１３から取得した評価結果情報の音質レベルが、既に制御情報テーブル２５に記録した制御パラメータに対する音質レベルよりも高い場合に、新しい制御パラメータの情報に更新させていく。
【００５６】
なお、制御情報確定部１２は、制御情報テーブル２５への記録を特性制御部５に指示した際には、その記録を指示した制御パラメータに対応する評価結果情報を、「記録済みの最高レベルの評価結果情報」として記憶しておく。この情報は、ステップＳ３３において、新たに取得する評価結果情報と比較するために使用する。
【００５７】
特性制御部５は、制御情報確定部１２から制御パラメータの記録の指示を受けると、そのときの検知情報にそのときに受信特性可変部２に入力している制御パラメータを対応づける関係情報を、制御情報テーブル２５に記録する（Ｓ３５）。
【００５８】
制御情報確定部１２は、その模擬信号の入力に対して、受信特性可変部２に入力させる制御パラメータを順次変化させていき、上記の処理（Ｓ３１〜Ｓ３５）を繰り返し行わせる。その模擬信号について、全ての制御パラメータに対する上記の処理（Ｓ３１〜Ｓ３５）が終わった時点で、制御情報テーブル２５には、その模擬信号を最も高品質に特性改善できる制御パラメータが記録されていることになる。
【００５９】
なお、ここで言う全ての制御パラメータとは、制御パラメータが複数ある場合には、複数の制御パラメータの全ての組み合わせを言う。
【００６０】
その模擬信号に対して、全ての制御パラメータのそれぞれに対応する出力信号の音質評価が終わった場合（Ｓ３６）には、受信部１に入力する模擬信号を別の模擬信号に替えることにより、受信入力検知部４で検知される検知情報を変化させ、その新たに入力させた模擬信号について、上記の処理（Ｓ３０〜Ｓ３６）を繰り返し行わせる。その結果、制御情報テーブル２５には、その新たな模擬信号を最も高品質に特性改善できる制御パラメータも記録されることになる。
【００６１】
なお、模擬信号を替えて新たな模擬信号について音質評価させる際には、制御情報確定部１２に記憶させている「記録済みの最高レベルの評価結果情報」は削除する。
【００６２】
そして、全ての模擬信号について、上記の処理（Ｓ３０〜Ｓ３６）を繰り返し行わせることにより、全ての模擬信号に対する処理が終わった時点（Ｓ３７）で、制御情報テーブル２５には、評価した全ての模擬信号のそれぞれについての、最も高品質に特性改善できる制御パラメータの情報が記録される。すなわち、各模擬信号に対応する検知情報毎に、その検知情報が検知される受信入力信号を最も高品質に改善できる制御パラメータの対応づけの情報が、制御情報テーブル２５に記録される。
【００６３】
次に、さらに具体例を用いて、本実施の形態１のテーブル作成システムで制御情報テーブル２５を作成する際の処理内容について説明する。
【００６４】
図３は、本実施の形態１のテーブル作成システムの、テーブル作成処理内容を説明する図を示している。図４は、本実施の形態１のテーブル作成システムで作成した制御情報テーブル２５の構成の一例を示している。
【００６５】
ここでは、具体例として、受信入力検知部４で検知される検知情報を、振幅レベルおよび受信電界強度とし、受信特性可変部２に入力する制御パラメータを、高域周波数特性パラメータおよびステレオ分離度パラメータとする。また、信号特性評価部１３は、評価結果情報として音質レベルを判定できる情報を出力するものとする。
【００６６】
制御情報確定部１２が、図３の上から示す順に模擬信号および制御パラメータを変化させて、それぞれの信号特性を評価していく。
【００６７】
まず、模擬信号１を受信部１に入力させた状態で、制御情報確定部１２が、特性制御部５から受信特性可変部２に入力させる高域周波数特性パラメータおよびステレオ分離度パラメータを変化させながら、それぞれの制御パラメータを入力したときの受信特性可変部２からの出力信号の評価を順に行っていく。図３の場合には、制御情報確定部１２は、（高域周波数特性パラメータ、ステレオ分離度パラメータ）＝（ｆ１、ｓ１）、（ｆ１、ｓ２）、（ｆ１、ｓ３）、（ｆ２、ｓ１）、…の順に、制御パラメータを変化させていく。
【００６８】
図３に示す音質評価結果は、信号特性評価部１３から出力される評価結果情報の値であり、ここでは音質レベルが高いほど大きな数値が出力されるものとする。また、ここでは、少なくとも制御情報テーブル２５に設定するために必要と規定した所定の音質レベルを、音質評価結果が「１０以上」のものとする。
【００６９】
まず、（高域周波数特性パラメータ、ステレオ分離度パラメータ）＝（ｆ１、ｓ１）の場合の音質評価結果は「７」であり、所定の音質レベル「１０以上」に達していないので、特性制御部５への記録指示は行われない。
【００７０】
次の、（高域周波数特性パラメータ、ステレオ分離度パラメータ）＝（ｆ１、ｓ２）の場合の音質評価結果は「１０」であり、所定の音質レベル「１０以上」に達しているので、制御情報確定部１２は、特性制御部５に、制御情報テーブル２５への記録を指示するとともに、「記録済みの最高レベルの評価結果情報」として、このときの音質評価結果の値「１０」を記憶しておく。特性制御部５は、模擬信号１の検知情報（振幅レベル、受信電界強度）＝（ａ１、ｅ１）の組み合わせに、特性制御情報（高域周波数特性パラメータ、ステレオ分離度パラメータ）＝（ｆ１、ｓ２）を対応づけて、制御情報テーブル２５に記録する。
【００７１】
制御情報確定部１２は、（高域周波数特性パラメータ、ステレオ分離度パラメータ）の組み合わせを変化させながら同様に処理していき、（高域周波数特性パラメータ、ステレオ分離度パラメータ）＝（ｆ２、ｓ２）の場合の音質評価結果が「１１」であり、記憶している「記録済みの最高レベルの評価結果情報」の「１０」よりも大きく音質レベルが高いので、制御情報確定部１２は、特性制御部５に、制御情報テーブル２５への記録を指示するとともに、「記録済みの最高レベルの評価結果情報」を、このときの音質評価結果の値「１１」に更新して記憶しておく。特性制御部５は、模擬信号１の検知情報（振幅レベル、受信電界強度）＝（ａ１、ｅ１）に、特性制御情報（高域周波数特性パラメータ、ステレオ分離度パラメータ）＝（ｆ２、ｓ２）を対応づけるように、制御情報テーブル２５を更新する。
【００７２】
同様に（高域周波数特性パラメータ、ステレオ分離度パラメータ）の組み合わせを変化させながら処理していくことにより、模擬信号１に対しての全ての制御パラメータの組み合わせの評価が終わった時点で、制御情報テーブル２５には、模擬信号１の検知情報（振幅レベル、受信電界強度）＝（ａ１、ｅ１）に対して、音質評価結果が最高の「１２」となる特性制御情報（高域周波数特性パラメータ、ステレオ分離度パラメータ）＝（ｆ３、ｓ１）が対応づけて記録されていることになる。なお、模擬信号１に対しての全ての制御パラメータの組み合わせの評価が終わった時点で、制御情報確定部１２は、「記録済みの最高レベルの評価結果情報」を削除する。
【００７３】
次に、受信部１に入力する信号を模擬信号２に替えて同様の処理を行うことにより、模擬信号２に対しての全ての制御パラメータの組み合わせの評価が終わった時点で、制御情報テーブル２５には、模擬信号２の検知情報（振幅レベル、受信電界強度）＝（ａ１、ｅ２）に対して、音質評価結果が最高の「１３」となる特性制御情報（高域周波数特性パラメータ、ステレオ分離度パラメータ）＝（ｆ２、ｓ２）が対応づけて記録されていることになる。
【００７４】
なお、図３では、検知情報への対応づけが確定された特性制御情報の音質評価結果の枠を塗りつぶして示している。
【００７５】
このようにして、全ての検知情報（振幅レベル、受信電界強度）の組み合わせが検知される複数種類の模擬信号それぞれについて評価していくことにより、全ての検知情報（振幅レベル、受信電界強度）の組み合わせのそれぞれについて、最高の音質にできる特性制御情報（高域周波数特性パラメータ、ステレオ分離度パラメータ）の組み合わせが対応づけられた、図４に示すような制御情報テーブル２５が作成される。なお、図４では、一部記載を省略しているが、全ての検知情報の組み合わせに対して、特性制御情報の組み合わせが対応づけられる。
【００７６】
上記の具体例は、説明をわかりやすくするために、それぞれの検知情報および制御パラメータの区分を少なくしているが、実際には、これらの区分を細分化することにより、非常に高品質の出力信号にできる関係情報を確定することができる。また、検知情報および制御パラメータの種類を、いずれも２つとしたが、これらの情報の種類をさらに多くすることにより、さらに高品質の出力信号にできる関係情報を確定することができる。
【００７７】
また、上記では、制御情報確定部１２に「記録済みの最高レベルの評価結果情報」を記憶させておき、制御情報テーブル２５の更新の要否の判定を行わせることとしたが、制御情報確定部１２が制御情報テーブル２５への記録を特性制御部５に指示する際に、そのときの評価結果情報も特性制御部５に渡すようにしておき、特性制御部５が、制御情報テーブル２５の更新の要否の判定を行うようにしてもよい。
【００７８】
なお、上記の例では、信号特性評価部１３が信号の音質を評価するものとして、音質が最高となる制御パラメータの対応づけに確定させたが、信号特性評価部１３がノイズレベルを評価するものとし、ノイズレベルが最低となる制御パラメータの対応づけに確定させるようにしてもよい。その場合には、本発明の所定の条件として、例えば、制御情報テーブル２５に設定するためには少なくともそれ以下のノイズレベルであることが必要と思われる予め決めておいたノイズレベルを用いる。
【００７９】
また、信号特性評価部１３が信号の音質とともにノイズレベルを評価するようにしておき、音質およびノイズレベルの両方を考慮した制御パラメータの対応づけに確定させるようにしてもよい。
【００８０】
また、受信部１に模擬的に入力する模擬信号は、例えば、様々な実環境下での受信部１で受信される信号を記録して蓄積しておき、その蓄積した情報を受信部１に入力するようにしてもよいし、機械的に様々な状態の信号を作成し、それらの信号を供給するようにしてもよい。また、実環境下で記録した情報を基にして、機械的に特性を変化させたりノイズを混入させた信号を作成し、入力するようにしてもよい。
【００８１】
このように、本実施の形態１のテーブル作成システムは、自動的に制御パラメータを変化させながら、制御パラメータが確定していき関係情報のテーブルが作成されるので、短時間でテーブルを作成することができる。また、短時間でテーブルが作成できるので、検知情報および制御パラメータの数の増加や細分化が容易にでき、高精度のテーブルを容易に作成することができる。
【００８２】
次に、上記で作成した制御情報テーブル２５を用いて、本実施の形態１の受信装置で、実環境で放送電波を受信する際の動作について説明する。
【００８３】
図５は、本実施の形態１の受信装置のブロック図を示す。図１と同じ構成部分には、同じ符号を用いている。
【００８４】
図５に示すように、本実施の形態１の受信装置の構成は、図１のテーブル作成システムの構成に対して、制御情報確定部１２および信号特性評価部１３が削除され、放送電波を受信するためのアンテナ２０が接続された構成である。
【００８５】
また、図２（ｂ）は、本実施の形態１の受信装置における特性制御情報の設定フローを示している。
【００８６】
受信部１が、アンテナ２０によって放送電波を受信する（Ｓ４０）と、受信入力検知部４は、受信部１における受信状態を検知する（Ｓ４１）。特性制御部５は、制御情報テーブル２５を参照して、受信入力検知部４で得られた検知情報に対応する制御パラメータを決定し、その制御パラメータを受信特性可変部２に入力する（Ｓ４２）。このようにして、受信部１で受信された受信信号の特性が、入力された制御パラメータにしたがって受信特性可変部２で変化され、特性が改善処理された信号が受信特性可変部２から出力される（Ｓ４３）。
【００８７】
なお、特性制御部５は、受信入力検知部４から取得した検知情報に対応する制御パラメータが制御情報テーブル２５に無い場合には、その検知情報に近似の制御情報テーブル２５にある検知情報に対応する制御パラメータから補間して、その検知情報に対応する制御パラメータを算出または決定し、その制御パラメータを受信特性可変部２に入力する。
【００８８】
制御情報テーブル２５を利用することにより、受信入力検知部４で検知される信号に対して、その信号を最適に改善できる制御パラメータが受信特性可変部２に入力されるので、高レベルの受信特性を発揮させることができる。
【００８９】
ここで、本実施の形態１のテーブル作成システムで作成された制御情報テーブル２５において検知情報に対応づけられる制御パラメータの例、および、受信装置がその制御情報テーブル２５を参照して受信信号を特性改善する例について、改善する特性毎の５つの具体例を用いて以下に説明する。
【００９０】
まず第１の具体例として、ＳＭＣ（ソフト・ミュート・コントロール）処理の具体例について説明する。
【００９１】
受信入力検知部４は、受信部１における受信信号の振幅レベルを検出し、検知情報として、その振幅レベルの情報を特性制御部５に渡す。
【００９２】
制御情報テーブル２５には、受信入力検知部４から渡される振幅レベルの情報と、受信特性可変部２に入力するソフト・ミュート特性パラメータとが対応づけられている。この場合のソフト・ミュート特性パラメータが、上記した受信特性可変部２に入力する制御パラメータの一例である。
【００９３】
この場合、制御情報テーブル２５では、小さい振幅レベルに対して、受信特性可変部２において受信信号の出力レベルを低下させるように処理するソフト・ミュート特性パラメータが対応づけられている。振幅レベルが小さいということは、弱入力電界強度レベルの状態にあるということなので、受信特性可変部２において受信信号の出力レベルを低下させることにより、弱電界ノイズを聴感的に軽減させることができる。
【００９４】
そして、制御情報テーブル２５では、大きい振幅レベルに対しては、受信特性可変部２において受信信号の出力レベルを定常レベルにするように処理するソフト・ミュート特性パラメータが対応づけられている。振幅レベルが大きいということは、強入力電界強度レベルの状態にあるということなので、受信特性可変部２において受信信号の出力レベルを定常レベルに高上させることにより、音声品質を損なわない高音質受信を実現できる。
【００９５】
次に、第２の具体例として、ＳＮＣ（ステレオ・ノイズ・コントロール）処理について説明する。
【００９６】
この場合も、受信入力検知部４は、受信部１における受信信号の振幅レベルを検出し、検知情報として、その振幅レベルの情報を特性制御部５に渡す。
【００９７】
制御情報テーブル２５には、受信入力検知部４から渡される振幅レベルの情報と、受信特性可変部２に入力するステレオ分離度特性パラメータとが対応づけられている。この場合のステレオ分離度特性パラメータが、上記した受信特性可変部２に入力する制御パラメータの一例である。
【００９８】
この場合、制御情報テーブル２５では、小さい振幅レベルに対して、受信特性可変部２において受信信号のステレオ分離度を小さくするように処理するステレオ分離度特性パラメータが対応づけられている。振幅レベルが小さいということは、弱入力電界強度レベルの状態にあるということなので、受信特性可変部２においてステレオＬＲ信号を加算（モノラルに近づける）してステレオ分離度を小さくすることにより、ステレオノイズ成分が低減される。その結果、ステレオノイズを聴感的に軽減させることができる。
【００９９】
そして、制御情報テーブル２５では、大きい振幅レベルに対しては、受信特性可変部２において受信信号のステレオ分離度を定常状態にするように処理するステレオ分離度特性パラメータが対応づけられている。振幅レベルが大きいということは、強入力電界強度レベルの状態にあるということなので、受信特性可変部２においてステレオ分離度を定常状態に大きくすることにより、ステレオ音声品質を損なわない高音質受信を実現できる。
【０１００】
次に、第３の具体例として、ＨＣＣ（ハイ・カット・コントロール）処理について説明する。
【０１０１】
この場合も、受信入力検知部４は、受信部１における受信信号の振幅レベルを検出し、検知情報として、その振幅レベルの情報を特性制御部５に渡す。
【０１０２】
制御情報テーブル２５には、受信入力検知部４から渡される振幅レベルの情報と、受信特性可変部２に入力する高域周波数特性パラメータとが対応づけられている。この場合の高域周波数特性パラメータが、上記した受信特性可変部２に入力する制御パラメータの一例である。
【０１０３】
この場合、制御情報テーブル２５では、小さい振幅レベルに対して、受信特性可変部２において受信信号の周波数特性の高域レベルを低減するように処理する高域周波数特性パラメータが対応づけられている。振幅レベルが小さいということは、弱入力電界強度レベルの状態にあるということなので、受信特性可変部２においてステレオノイズが存在する高域レベルを低下させて、ステレオノイズのレベルを低減させる。その結果、ステレオノイズを聴感的に軽減させることができる。
【０１０４】
そして、制御情報テーブル２５では、大きい振幅レベルに対しては、受信特性可変部２において受信信号の周波数特性の高域レベルを定常状態にするように処理する高域周波数特性パラメータが対応づけられている。振幅レベルが大きいということは、強入力電界強度レベルの状態にあるということなので、受信特性可変部２において周波数特性の高域レベルを定常状態のレベルに高上させることにより、ステレオ音声品質を損なわない高音質受信を実現できる。
【０１０５】
次に、第４の具体例として、ノイズ除去処理について説明する。
【０１０６】
受信入力検知部４は、受信部１における受信信号の振幅エンベロープに重畳するパルス性ノイズを検出し、検知情報として、そのパルス性ノイズの波高値および波形幅の情報を特性制御部５に渡す。
【０１０７】
制御情報テーブル２５には、受信入力検知部４から渡される波高値および波形幅の情報と、受信特性可変部２に入力するパルス性ノイズ除去処理の要否を示すパラメータとが対応づけられている。この場合のパルス性ノイズ除去処理の要否を示すパラメータが、上記した受信特性可変部２に入力する制御パラメータの一例である。
【０１０８】
この場合、制御情報テーブル２５では、所定の値を超える波高値および波形幅に対して、受信特性可変部２において「パルス性ノイズ除去処理を行う」ことを示すパラメータが対応づけられており、所定の値以下の波高値および波形幅に対しては、受信特性可変部２において「パルス性ノイズ除去処理を行わない」ことを示すパラメータが対応づけられている。
【０１０９】
これにより、所定の値を超える波高値および波形幅のパルス性ノイズが受信入力検知部４で検知された場合には、受信特性可変部２は、受信信号の振幅に重畳されたパルスノイズ重畳区間の開始部と終了部を直線補間手法などにより信号補完処理をして、パルスノイズ波形カット処理を行う。その結果、パルスノイズは低減され、音声品質を損なわない高音質受信を実現できる。
【０１１０】
次に、第５の具体例として、マルチパス除去処理について説明する。
【０１１１】
受信入力検知部４は、受信部１における受信信号の、振幅変動成分（以下、「ＡＭ成分」という）および希望波電界強度レベル対マルチパス妨害電界強度レベル（以下、「ＤＵ比」という）を検出し、検知情報として、それらの情報を特性制御部５に渡す。
【０１１２】
制御情報テーブル２５には、受信入力検知部４から渡されるＡＭ成分およびＤＵ比の情報と、受信特性可変部２に入力するステレオ分離度特性パラメータおよび高域周波数特性パラメータとが対応づけられている。この場合のステレオ分離度特性パラメータおよび高域周波数特性パラメータが、上記した受信特性可変部２に入力する制御パラメータの一例である。
【０１１３】
この場合、制御情報テーブル２５では、受信信号におけるＡＭ成分が大きくＤＵ比が小さい場合に対して、受信特性可変部２において受信信号のステレオ分離度を小さくし周波数特性の高域レベルを低下させるように処理するステレオ分離度特性パラメータおよび高域周波数特性パラメータとが対応づけられている。ＡＭ成分が大きくＤＵ比が小さいということは、マルチパス妨害の程度が強い状態にあるということなので、受信特性可変部２において、ステレオ分離度を小さくし周波数特性の高域レベルを低下させることにより、マルチパス妨害ノイズを聴感的に軽減させることができる。
【０１１４】
そして、制御情報テーブル２５では、受信信号におけるＡＭ成分が小さくＤＵ比が大きい場合に対して、受信特性可変部２において受信信号のステレオ分離度を大きくし周波数特性の高域レベルを低域レベルに近づけるように処理するステレオ分離度特性パラメータおよび高域周波数特性パラメータとが対応づけられている。ＡＭ成分が小さくＤＵ比が大きいということは、マルチパス妨害の程度が弱い状態にあるということなので、受信特性可変部２において、ステレオ分離度を大きめにし、低下量を小さく周波数特性の高域レベルを低下させることにより、マルチパス妨害ノイズを聴感的に適度に軽減できるとともに、音声品質を損なわない高音質受信を実現できる。
【０１１５】
ここでは、マルチパス妨害除去の対応として、受信特性可変部２に入力する制御パラメータを、ステレオ分離度特性パラメータおよび高域周波数特性パラメータとして説明したが、これらのパラメータに加えて、これらのパラメータのそれぞれに対する、立上り時定数、立下り時定数、制御維持時間などの制御時定数特性パラメータも、制御情報テーブル２５で、検知情報に対応づけるようにしてもよい。これらの制御時定数特性パラメータも、受信特性可変部２に入力させるようにすることにより、マルチパス妨害除去の効果をより向上させることができる。
【０１１６】
なお、ここでは、制御情報テーブル２５における検知情報と制御パラメータの関係をわかりやすく説明するために、改善する特性毎における関係を例に説明したが、本実施の形態１の受信装置の制御情報テーブル２５には、実際には、ある特定の特性のみを改善するための検知情報と制御パラメータとの対応づけがされているのではなく、図３の例でも説明したように、複数の特性を総合的に改善するための、検知情報の組み合わせと制御パラメータとの対応づけがされている。
【０１１７】
例えば、制御情報テーブル２５で対応づける検知情報と制御パラメータを、検知情報として振幅レベルのみ、制御パラメータとしてステレオ分離度特性パラメータのみとした場合には、上記の第２の具体例で示したようにステレオノイズのみが改善されることになるが、検知情報を、振幅レベルとＡＭ成分とＤＵ比の組み合わせとし、制御パラメータを、ステレオ分離度特性パラメータと高域周波数特性パラメータの組み合わせとすると、ステレオノイズと高周波ノイズとマルチパス妨害を総合的に改善できる。すなわち、上記した第２、第３、第５の具体例の改善処理を総合的に行わせることができる。
【０１１８】
このように、本実施の形態１の受信装置は、複数の検知情報の組み合わせに対して、最良の音質に改善できる制御パラメータの組み合わせが対応づけられており、その制御パラメータを受信特性可変部２に入力するので、総合的に音質が改善されて、最良の音質の出力とすることができる。
【０１１９】
なお、受信入力検知部４で検知され、特性制御部５に渡される検知情報として、具体的には、受信電界強度情報、ノイズフロアレベル情報、受信信号電界強度対マルチパス妨害信号電界強度比情報、受信信号電界強度対隣接チャンネル妨害信号電界強度比情報、受信信号電界強度対過変調妨害信号電界強度比情報、受信信号電界強度対同一チャンネル妨害信号電界強度比情報、受信信号電界強度対インターモジュレーション妨害信号電界強度比情報、受信信号電界強度対クロスモジュレーション妨害信号電界強度比情報、受信信号電界強度対パルスノイズ妨害信号電界強度比情報、受信信号電界強度対外乱妨害信号電界強度比情報などを用いることができる。
【０１２０】
また、受信特性可変部２に入力する特性制御情報には、例えば、周波数特性情報、ステレオ分離度情報、音量レベル情報、ミューティング情報などの音質最適受信特性制御出力などの音声信号制御情報も用いることができる。
【０１２１】
なお、図１および図５のブロック図には、復調処理を行うブロックを記載していないが、本実施の形態１の受信装置は、受信部１またはその前段に復調機能を有している。
【０１２２】
具体的には、受信部１などが、全般的な復調系機能、もしくは振幅変調（ＡＭ）、周波数変調（ＦＭ）などに対するアナログ復調機能、もしくはパルス・コード変調（ＰＣＭ）、時分割多重変調（ＴＤＭ）、周波数多重変調（ＦＤＭ）、直交周波数多重変調（ＯＦＤＭ）などに対するデジタル復調機能などを有している。
【０１２３】
また、図１に示す各ブロックの機能は、ハードウェアでも実現できるし、ソフトウェアでも実現できる。例えば、受信部１の前段にＡ／Ｄ変換機能があり、受信部１に入力される信号がデジタルデータの場合には、図１に示す全てのブロックの機能をソフトウェアで実現することもできる。例えば、制御情報テーブル２５をフラッシュＲＯＭに格納しておき、ＣＰＵにプログラムを実行させることにより、図１に示す全てのブロックの処理をソフトウェアで行わせることができる。
【０１２４】
（実施の形態２）
図６に、本発明の実施の形態２の受信装置のブロック図を示す。図１と同じ構成部分には、同じ符号を用いている。
【０１２５】
実施の形態１では、設計時に制御情報テーブル２５を作成していたのに対し、本実施の形態２の受信装置は、ユーザが使用する際にも制御情報テーブル２５の内容を更新することができる。
【０１２６】
図５に示す実施の形態１の受信装置は、制御情報確定部１２および信号特性評価部１３を含まない構成であるのに対し、本実施の形態２の受信装置は、制御情報確定部１８および信号特性評価部１３も含む構成である。
【０１２７】
本実施の形態２の受信装置は、実施の形態１のテーブル作成システムと同じ構成であるが、制御情報テーブル２５を作成する際に、実施の形態１のテーブル作成システムでは模擬信号を受信部１に入力させたのに対し、本実施の形態２の受信装置では、実環境でアンテナ２０から受信する放送電波を利用して制御情報テーブル２５を作成する
ユーザが使用する実環境において、本実施の形態２の受信装置で制御情報テーブル２５を作成する動作について、以下に説明する。
【０１２８】
なお、図６の破線で示した部分は、放送電波を受信する際の信号の流れに加えて、制御情報テーブル２５を作成する際に流れる信号の流れを示している。
【０１２９】
本実施の形態２の特性制御部１７は、受信入力検知部４から取得した検知情報に対応づけられた制御パラメータが制御情報テーブル２５に記録されていない場合には、検知情報に対応する制御パラメータが無いことを制御情報確定部１８に通知する。
【０１３０】
制御情報確定部１８は、特性制御部１７からの検知情報に対応する制御パラメータが無いことの通知を受けると、実施の形態１と同様の処理で制御情報テーブル２５の作成処理を行う。すなわち、特性制御部１７に指示して受信特性可変部２に入力する制御パラメータを順次変化させながら、変化させた制御パラメータに対応する受信特性可変部２の出力信号の特性を信号特性評価部１３に評価させ、その評価結果信号にしたがって特性制御部１７に制御情報テーブル２５への書き込み指示をして、そのときの検知情報に対応する制御パラメータを確定させる。
【０１３１】
そして、そのときの検知情報に対応づける制御パラメータを確定させた後は、通常の受信状態に戻る。すなわち、特性制御部１７は、制御情報テーブル２５を参照して、受信入力検知部４に対応づけられた制御パラメータを受信特性可変部２に入力して、受信信号の特性改善処理をさせるように動作する。
【０１３２】
本実施の形態２の場合、アンテナ２０で受信した放送電波の信号について特性の評価を行う。信号特性評価部１３は、例えば、放送されてくる音楽の信号を評価対象の信号として用い、その音楽に対応する参照信号を使用して、受信特性可変部２から出力される信号の特性評価を行う。放送局から放送されくる音楽とともに楽曲情報も送信されてくるので、その楽曲情報に対応する音楽の参照信号を取得し、受信特性可変部２から出力される信号と比較して特性評価を行う。参照信号には、例えば、受信装置に接続されているＣＤやＤＶＤに含まれる音楽データを用いたり、インターネットを利用して対応する音楽データをダウンロードして用いたりできる。
【０１３３】
なお、信号特性評価部１３が、常に受信特性可変部２から出力される信号の特性を評価するようにしてもよいが、制御情報テーブル２５を作成させる際にのみ動作させるようにしてもよい。その場合には、例えば、制御情報確定部１８が、制御情報テーブル２５の作成処理をする際に、信号特性評価部１３に評価開始を指示するようにすればよい。
【０１３４】
また、上記では、検知情報に対応づけられた制御パラメータが制御情報テーブル２５に記録されているか否かの判断を特性制御部１７が行うこととしたが、制御情報確定部１８が受信入力検知部４からの検知情報を取得し、制御情報テーブル２５を直接読み込んで判断するようにしてもよい。
【０１３５】
また、上記では、検知情報に対応づけられた制御パラメータが制御情報テーブル２５に記録されていない場合に制御情報テーブル２５の作成処理を行うこととしたが、制御情報テーブル２５に対応する制御パラメータが記録されているか否かに関わらず、例えばその受信装置の電源ＯＮ時に必ず制御情報テーブル２５の作成処理を行うようにしてもよい。
【０１３６】
受信装置が使用される環境によって、同じ放送電波でも受信される信号の状態は大きく異なる。例えば、使用する場所が変わったり、時間によっても受信状態は変化する。
【０１３７】
本実施の形態２では、受信状態が変わった場合に、そのときの受信状態に応じた関係情報が制御情報テーブル２５に追加されていく。つまり、各ユーザーの受信環境に応じた必要な関係情報だけが追加されていく。
【０１３８】
実施の形態１の受信装置の場合には、ユーザが使用される実環境では制御情報テーブル２５に関係情報を追加できないので、全てのユーザの受信環境に対応できるような多くの関係情報を制御情報テーブル２５に予め格納しておかなければならない。したがって制御情報テーブル２５として大きな領域が必要になる。
【０１３９】
それに対して、本実施の形態２の受信装置の場合には、ユーザに受信装置を渡す際には、制御情報テーブル２５には最低限の関係情報のみを格納しておいてもよいし、また空であってもよい。各ユーザ毎に必要な関係情報を格納できる領域だけを制御情報テーブル２５の領域として確保しておけばよい。
【０１４０】
（実施の形態３）
図７に、本発明の実施の形態３の受信装置のテーブル作成システムのブロック図を示す。また、図８に、本実施の形態３のテーブル作成システムで作成した関係情報テーブルを利用する受信装置のブロック図を示す。
【０１４１】
実施の形態１の場合と同様に、本実施の形態３の受信装置の構成は、テーブル作成システムの構成に対して、制御情報確定部１４および信号特性評価部１５が削除され、放送電波を受信するための第１アンテナ２０ａおよび第２アンテナ２０ｂが接続された構成である。
【０１４２】
本実施の形態３の受信装置は、第１アンテナ２０ａによって放送電波を受信する第１受信部１ａと、第１受信部１ａで受信した受信信号に対して特性改善処理を行う第１受信特性可変部２ａを備えている。また、第１受信部１ａにおける受信状態を検知する第１受信入力検知部４ａと、第１受信入力検知部４ａの検知結果に基づいて第１受信特性可変部２ａを制御する第１特性制御部５ａと、第１特性制御部５ａが第１受信特性可変部２ａを制御する際に参照する第１制御情報テーブル２１ａを備えている。
【０１４３】
これらの、第１受信部１ａ、第１受信特性可変部２ａ、第１受信入力検知部４ａ、第１特性制御部５ａ、および第１制御情報テーブル２１ａで、第１特性改善受信ユニット３ａを構成している。
【０１４４】
また、第１アンテナ２０ａとは異なる位置に配置されている第２アンテナ２０ｂによって放送電波を受信する第２受信部１ｂと、第２受信部１ｂで受信した受信信号に対して特性改善処理を行う第２受信特性可変部２ｂを備えている。また、第２受信部１ｂにおける受信状態を検知する第２受信入力検知部４ｂと、第２受信入力検知部４ｂの検知結果に基づいて第２受信特性可変部２ｂを制御する第２特性制御部５ｂと、第２特性制御部５ｂが第２受信特性可変部２ｂを制御する際に参照する第２制御情報テーブル２１ｂを備えている。
【０１４５】
これらの、第２受信部１ｂ、第２受信特性可変部２ｂ、第２受信入力検知部４ｂ、第２特性制御部５ｂ、および第２制御情報テーブル２１ｂで、第２特性改善受信ユニット３ｂを構成している。
【０１４６】
このように、本実施の形態３の受信装置は、実施の形態１の受信装置が１つの受信ユニットで構成されていたのに対し、複数の受信ユニットを備えていることを特徴とする。
【０１４７】
なお、ここでは、受信ユニットが第１特性改善受信ユニット３ａおよび第２特性改善受信ユニット３ｂの２つの構成の場合を例にして説明しているが、受信ユニットが３つ以上の構成であってもよい。
【０１４８】
さらに、本実施の形態３の受信装置は、第１特性改善受信ユニット３ａの出力と第２特性改善受信ユニット３ｂの出力の２つの出力信号を、合成して出力し、もしくは切り替えて出力する合成切替部６と、合成切替部６を制御する合成切替制御部７と、合成切替制御部７が合成切替部６を制御する際に参照する合成切替テーブル２２を備えている。
【０１４９】
第１制御情報テーブル２１ａ、第２制御情報テーブル２１ｂ、および合成切替テーブル２２は、いずれもフラッシュＲＯＭなどに格納されている書き換えが可能なテーブルである。
【０１５０】
なお、第１受信特性可変部２ａおよび第２受信特性可変部２ｂが、本発明の特性可変部の一例にあたり、第１特性制御部５ａおよび第２特性制御部５ｂが、本発明の特性制御部の一例にあたる。また、合成切替部６が、本発明の合成部の一例にあたり、合成切替制御部７が、本発明の合成制御部の一例にあたる。また、第１制御情報テーブル２１ａおよび第２制御情報テーブル２１ｂが、本発明の特性制御関係情報記憶部の一例にあたり、合成切替テーブル２２が、本発明の合成制御関係情報記憶部の一例にあたる。
【０１５１】
本実施の形態３のテーブル作成システムの構成は、上記の受信装置の構成に、合成切替部６の出力を評価する信号特性評価部１５と、信号特性評価部１５の評価結果に応じて、第１制御情報テーブル２１ａ、第２制御情報テーブル２１ｂ、および合成切替テーブル２２のそれぞれへの情報の記録を指示する制御情報確定部１４とを加えた構成である。
【０１５２】
設計段階において、本実施の形態３の受信装置の構成に制御情報確定部１４および信号特性評価部１５を接続して、第１制御情報テーブル２１ａ、第２制御情報テーブル２１ｂ、および合成切替テーブル２２を作成する。
【０１５３】
なお、本実施の形態２のテーブル作成システムにより、第１制御情報テーブル２１ａ、第２制御情報テーブル２１ｂ、および合成切替テーブル２２を作成する際には、受信装置に第１アンテナ２０ａおよび第２アンテナ２０ｂが接続されていなくてもよい。
【０１５４】
信号特性評価部１５は、模擬信号が第１受信部１ａおよび第２受信部１ｂの少なくともいずれか一方に入力された際に、合成切替部６で合成されまたは切り替えられて出力される信号と、模擬信号とは別に入力される参照信号とを比較して、合成切替部６から出力される信号の、音質レベルおよびノイズレベルの少なくともいずれか一方の良否を判定できる評価結果情報を出力する。ここで、模擬信号は、参照信号にノイズが含まれたり特性が変化したような、信号の特性およびノイズの少なくともいずれか一方に関して参照信号と所定の関係を有する信号である。
【０１５５】
なお、第１制御情報テーブル２１ａ、第２制御情報テーブル２１ｂ、および合成切替テーブル２２を作成する際に第１受信部１ａおよび第２受信部１ｂに入力する模擬信号が、本発明の所定の信号の一例にあたる。
【０１５６】
次に、本実施の形態３のテーブル作成システムで、第１制御情報テーブル２１ａ、第２制御情報テーブル２１ｂ、および合成切替テーブル２２を作成する際の動作について説明する。
【０１５７】
まず、第１制御情報テーブル２１ａを作成する。
【０１５８】
第１特性改善受信ユニット３ａからの出力がそのまま合成切替部６から出力されるように合成切替部６を設定しておき、実際の受信環境において第１アンテナ２０ａから入力されると想定される信号を、模擬的に第１受信部１ａに入力する。
【０１５９】
第１特性制御部５ａは、第１制御情報テーブル２１ａを作成する際には、実施の形態１の特性制御部５と同様に動作する。
【０１６０】
図２〜図４を用いて実施の形態１で説明したのと同様の処理により、制御情報確定部１４は、制御パラメータを順次変化させて第１受信特性可変部２ａに入力させていき、第１受信部１ａに順次入力される模擬信号に対する第１受信入力検知部４ａの検知情報に応じた制御パラメータを確定していくことにより、自動的に第１制御情報テーブル２１ａが作成される。
【０１６１】
次に、第２制御情報テーブル２１ｂを作成する。
【０１６２】
第２特性改善受信ユニット３ｂからの出力がそのまま合成切替部６から出力されるように合成切替部６を設定しておき、実際の受信環境において第２アンテナ２０ｂから入力されると想定される信号を、模擬的に第２受信部１ｂに入力する。
【０１６３】
第２特性制御部５ｂは、第２制御情報テーブル２１ｂを作成する際には、実施の形態１の特性制御部５と同様に動作する。
【０１６４】
図２〜図４を用いて実施の形態１で説明したのと同様の処理により、制御情報確定部１４は、制御パラメータを順次変化させて第２受信特性可変部２ｂに入力させていき、第２受信部１ｂに順次入力される模擬信号に対する第２受信入力検知部４ｂの検知情報に応じた制御パラメータを確定していくことにより、自動的に第２制御情報テーブル２１ｂが作成される。
【０１６５】
次に、合成切替テーブル２２を作成する。
【０１６６】
上記のようにして第１制御情報テーブル２１ａおよび第２制御情報テーブル２１ｂを作成した後、第１受信部１ａおよび第２受信部１ｂの両方に模擬的な信号を入力する。
【０１６７】
第１受信部１ａおよび第２受信部１ｂに模擬信号が入力されると、第１特性制御部５ａは、第１制御情報テーブル２１ａを参照して、第１受信入力検知部４ａから出力される検知情報に基づいた制御パラメータを第１受信特性可変部２ａに入力するので、第１受信特性可変部２ａからは、第１制御情報テーブル２１ａで対応づけられた制御パラメータによって改善処理された信号が出力される。同様に、第２特性制御部５ｂは、第２制御情報テーブル２１ｂを参照して、第２受信入力検知部４ｂから出力される検知情報に基づいた制御パラメータを第２受信特性可変部２ｂに入力するので、第２受信特性可変部２ｂからは、第２制御情報テーブル２１ｂで対応づけられた制御パラメータによって改善処理された信号が出力される。このようにして、合成切替部６には、第１受信特性可変部２ａおよび第２受信特性可変部２ｂの双方から、それぞれ模擬信号が改善処理された信号が入力される。
【０１６８】
なお、図７の第１特性制御部５ａと第１制御情報テーブル２１ａ間の実線と破線、および第２特性制御部５ｂと第２制御情報テーブル２１ｂ間の実線と破線は、それぞれ、実線が第１制御情報テーブル２１ａおよび第２制御情報テーブル２１ｂを作成する際のデータの流れを示し、破線が合成切替テーブル２２を作成する際のデータの流れを示している。
【０１６９】
そして、制御情報確定部１４は、実施の形態１で受信特性可変部２に入力する制御パラメータを確定していくのと同様の処理で、２つの検知情報に対応させて合成切替制御部７に入力する合成パラメータを確定していく。
【０１７０】
つまり、制御情報確定部１４は、合成パラメータを順次変化させて合成切替制御部７に指示して合成切替部６に入力させていき、合成切替部６からのそれぞれの出力信号に対する信号特性評価部１５からの評価結果情報に応じて、合成切替制御部７に、合成切替テーブル２２への記録を指示していく。すなわち、例えば評価結果情報が所定の音質レベル以上を示す場合に、合成切替テーブル２２への記録を指示していく。合成切替制御部７は、信号特性評価部１５からの記録指示を受けると、そのときの第１受信入力検知部４ａおよび第２受信入力検知部４ｂから通知されている２つの検知情報と、そのときに合成切替部６に入力している合成パラメータとを対応づける関係情報を、合成切替テーブル２２に記録する。このように、合成切替制御部７は、合成切替テーブル２２を作成する際には、実施の形態１の特性制御部５と同様に動作する。
【０１７１】
第１受信部１ａおよび第２受信部１ｂに順次入力されるそれぞれの模擬信号に対して同様に合成パラメータを確定していくことにより、自動的に合成切替テーブル２２が作成される。
【０１７２】
なお、合成切替部６に入力する合成制御情報として、例えば、ダイバーシティ最適受信特性制御出力や、アンテナ切り替えダイバーシティ最適受信特性制御出力、アレー合成アンテナダイバーシティ最適受信特性制御出力などのダイバーシティ受信特性情報を使用できる。
【０１７３】
なお、本実施の形態３の受信装置のように、第１アンテナ２０ａおよび第１特性改善受信ユニット３ａの構成と、第２アンテナ２０ｂおよび第２特性改善受信ユニット３ｂの構成が同じ構成の場合には、第２制御情報テーブル２１ｂは、第１制御情報テーブル２１ａと同じテーブルを用いることができる。つまり、上記の説明では、第１制御情報テーブル２１ａとは別に、第２制御情報テーブル２１ｂを作成することとして説明したが、このような構成の場合には、第２制御情報テーブル２１ｂを作成することなく、第１制御情報テーブル２１ａを第２制御情報テーブル２１ｂとして使用できる。また、図７では、これらの２つのテーブルを分けて２つのブロックで記載しているが、これらのテーブルが同じテーブルの場合には、共通の１つのテーブルをメモリ上に格納しておき、第１特性制御部５ａおよび第２特性制御部５ｂがその１つのテーブルを共用してアクセスするような構成にしてもよい。
【０１７４】
そして、上記で作成した第１制御情報テーブル２１ａ、第２制御情報テーブル２１ｂ、および合成切替テーブル２２を組み込んだ本実施の形態３の受信装置を用いて、実環境で放送電波を受信する。
【０１７５】
図８に示すように、本実施の形態３の受信装置の構成は、図７のテーブル作成システムの構成に対して、制御情報確定部１４および信号特性評価部１５が削除され、放送電波を受信するための第１アンテナ２０ａおよび第２アンテナ２０ｂが接続された構成である。
【０１７６】
第１受信部１ａが、第１アンテナ２０ａによって放送電波を受信すると、第１受信入力検知部４ａが、第１受信部１ａにおける受信状態を検知し、第１特性制御部５ａが、第１制御情報テーブル２１ａを参照して、第１受信入力検知部４ａで得られた検知情報に対応する制御パラメータを決定し、その制御パラメータを第１受信特性可変部２ａに入力する。このようにして、第１受信部１ａで受信された受信信号の特性が、入力された制御パラメータにしたがって第１受信特性可変部２ａで変化され、特性が改善処理された信号が第１受信特性可変部２ａから出力され、合成切替部６に入力される。
【０１７７】
同様に、第２受信部１ｂが、第２アンテナ２０ｂによって放送電波を受信すると、第２受信入力検知部４ｂが、第２受信部１ｂにおける受信状態を検知し、第２特性制御部５ｂが、第２制御情報テーブル２１ｂを参照して、第２受信入力検知部４ｂで得られた検知情報に対応する制御パラメータを決定し、その制御パラメータを第２受信特性可変部２ｂに入力する。このようにして、第２受信部１ｂで受信された受信信号の特性が、入力された制御パラメータにしたがって第２受信特性可変部２ｂで変化され、特性が改善処理された信号が第２受信特性可変部２ｂから出力され、合成切替部６に入力される。
【０１７８】
そして、合成切替制御部７が、合成切替テーブル２２を参照して、第１受信入力検知部４ａおよび第２受信入力検知部４ｂで得られた２つの検知情報に対応する合成パラメータを決定し、その合成パラメータを合成切替部６に入力する。このようにして、第１受信特性可変部２ａおよび第２受信特性可変部２ｂで改善処理された２つの信号を、最適な音質の出力信号となるように合成または切り替えた信号が、合成切替部６から出力される。
【０１７９】
このように、本実施の形態３の受信装置は、２つのアンテナで受信した信号の受信特性をそれぞれ制御して合成して受信出力信号を得るので、１つのアンテナで受信する実施の形態１の受信装置よりもさらに高レベルの受信性能を発揮させることができる。
【０１８０】
次に、図９に、本実施の形態３の他の構成の受信装置のテーブル作成システムのブロック図を示す。また、図１０に、図９の構成の本実施の形態３のテーブル作成システムで作成した関係情報テーブルを利用する受信装置のブロック図を示している。図７と同じ構成部分には、同じ符号を用いている。以下、図７のテーブル作成システムと異なる点について説明する。
【０１８１】
図９に示すテーブル作成システムは、図７に示すテーブル作成システムとは、受信装置の構成部分において、第１特性制御部５ａ、第２特性制御部５ｂ、および合成切替制御部７の代わりに、特性／合成制御部１１を備え、第１制御情報テーブル２１ａ、第２制御情報テーブル２１ｂ、および合成切替テーブル２２の代わりに特性／合成切替制御情報テーブル２４を備えた点が異なる。
【０１８２】
図９のテーブル作成システムでは、第１受信部１ａ、第１受信特性可変部２ａ、および第１受信入力検知部４ａで、第１受信ユニット２３ａを構成しており、第２受信部１ｂ、第２受信特性可変部２ｂ、および第２受信入力検知部４ｂで、第２受信ユニット２３ｂを構成している。
【０１８３】
なお、ここでは、受信ユニットが第１受信ユニット２３ａおよび第２受信ユニット２３ｂの２つの構成の場合を例にして説明しているが、受信ユニットが３つ以上の構成であってもよい。
【０１８４】
特性／合成制御部１１は、特性／合成切替制御情報テーブル２４を参照して、第１受信入力検知部４ａおよび第２受信入力検知部４ｂの検知結果に基づいて、第１受信特性可変部２ａ、第２受信特性可変部２ｂ、および合成切替部６を制御する。
【０１８５】
なお、特性／合成制御部１１が、本発明の特性合成制御部の一例にあたり、特性／合成切替制御情報テーブル２４が、本発明の特性合成制御関係情報記憶部の一例にあたる。
【０１８６】
図９に示す本実施の形態３のテーブル作成システムで、特性／合成切替制御情報テーブル２４を作成する際の動作について説明する。
【０１８７】
実際の受信環境において第１アンテナ２０ａから入力されると想定される信号を、模擬的に第１受信部１ａに入力するとともに、第２アンテナ２０ｂから入力されると想定される信号を、模擬的に第２受信部１ｂに入力する。
【０１８８】
特性／合成制御部１１は、特性／合成切替制御情報テーブル２４を作成する際には、実施の形態１の特性制御部５と同様に動作する。
【０１８９】
制御情報確定部１６は、第１受信特性可変部２ａに制御パラメータを順次変化させて入力させていくとともに、第２受信特性可変部２ｂにも制御パラメータを、合成切替部６にも合成パラメータを、それぞれ変化させながら入力させていく。そして、合成切替部６からのそれぞれの出力信号に対する信号特性評価部１５からの評価結果情報に応じて、特性／合成制御部１１に、特性／合成切替制御情報テーブル２４への記録を指示していく。すなわち、例えば評価結果情報が所定の音質レベル以上を示す場合に、特性／合成切替制御情報テーブル２４への記録を指示していく。
【０１９０】
特性／合成制御部１１は、制御情報確定部１６からの記録指示を受けると、そのときの第１受信入力検知部４ａおよび第２受信入力検知部４ｂから通知されている２つの検知情報と、そのときに第１受信特性可変部２ａに入力している制御パラメータ、第２受信特性可変部２ｂに入力している制御パラメータ、および合成切替部６に入力している合成パラメータとを対応づける関係情報を、特性／合成切替制御情報テーブル２４に記録する。このように、特性／合成制御部１１は、特性／合成切替制御情報テーブル２４を作成する際には、実施の形態１の特性制御部５と同様に動作する。
【０１９１】
このように、制御情報確定部１６が、第１受信特性可変部２ａと第２受信特性可変部２ｂに入力させる制御パラメータ、および合成切替部６に入力させる合成パラメータを順次変化させていき、第１受信部１ａおよび第２受信部１ｂに順次入力される模擬信号の組み合わせ毎に対応する、第１受信入力検知部４ａおよび第２受信入力検知部４ｂの検知情報に応じた制御パラメータおよび合成パラメータを確定していくことにより、自動的に特性／合成切替制御情報テーブル２４が作成される。
【０１９２】
そして、上記で作成した特性／合成切替制御情報テーブル２４を組み込んだ図１０に示す本実施の形態３の受信装置を用いて、実環境で放送電波を受信する。
【０１９３】
図１０に示すように、本実施の形態３の受信装置の構成は、図９のテーブル作成システムの構成に対して、制御情報確定部１６および信号特性評価部１５が削除され、放送電波を受信するための第１アンテナ２０ａおよび第２アンテナ２０ｂが接続された構成である。
【０１９４】
図１０の受信装置において、特性／合成切替制御情報テーブル２４には、第１受信入力検知部４ａおよび第２受信入力検知部４ｂで検知された検知情報と、それらの検知情報が得られた際に合成切替部６で合成されて出力される信号を最適な品質にするための、第１受信特性可変部２ａに入力する制御パラメータ、第２受信特性可変部２ｂに入力する制御パラメータ、および合成切替部６に入力する合成パラメータ、が対応づけられた関係情報が予め格納されていることになる。
【０１９５】
特性／合成制御部１１は、第１受信入力検知部４ａおよび第２受信入力検知部４ｂからの検知情報を取得すると、特性／合成切替制御情報テーブル２４を参照して、その第１受信入力検知部４ａおよび第２受信入力検知部４ｂの検知情報に対応する、第１受信特性可変部２ａに入力する制御パラメータ、第２受信特性可変部２ｂに入力する制御パラメータ、および合成切替部６に入力する合成パラメータを決定し、それらのパラメータを、第１受信特性可変部２ａ、第２受信特性可変部２ｂ、および合成切替部６に入力する。このように各パラメータが入力されて、合成切替部６からは、最適な品質の信号が出力される。
【０１９６】
ここで、制御情報と検知情報との対応関係について、図８に示した受信装置との違いについて説明する。
【０１９７】
図８に示した受信装置の場合には、第１特性制御部５ａは、第１受信入力検知部４ａからの検知情報のみに基づいた第１受信特性可変部２ａに入力する制御パラメータを決定し、第２特性制御部５ｂは、第２受信入力検知部４ｂからの検知情報のみに基づいた第２受信特性可変部２ｂに入力する制御パラメータを決定する。そして、合成切替部６に入力する合成パラメータについては、合成切替制御部７は、第１受信入力検知部４ａおよび第２受信入力検知部４ｂからの両方の検知情報の組み合わせに基づいた合成パラメータに決定する。
【０１９８】
それに対して、図１０に示す受信装置では、特性／合成制御部１１は、第１受信特性可変部２ａに入力する制御パラメータも、第２受信特性可変部２ｂに入力する制御パラメータも、第１受信入力検知部４ａおよび第２受信入力検知部４ｂの両方の検知情報の組み合わせに基づいたパラメータに決定する。
【０１９９】
このように、近くに配置された他のアンテナで受信される信号の状態も考慮された、第１受信特性可変部２ａおよび第２受信特性可変部２ｂに入力する制御パラメータに決定されるので、図８に示した受信装置よりも、さらに高レベルの受信性能を発揮させることができる。
【０２００】
複数のアンテナで受信した信号を合成することで、受信電波の指向特性を制御できるアレーアンテナ合成が知られている。
【０２０１】
図１１に、アレーアンテナによる指向特性の制御を説明するための図を示している。
【０２０２】
図１１（ａ）は、アレーアンテナが受信する電波の方向を示しており、図１１（ｂ）は、受信信号を合成するアレーアンテナの構成模式図を示している。図１１（ｃ）および図１１（ｄ）は、図１１（ａ）、（ｂ）に示すアンテナ１およびアンテナ２の、それぞれのアンテナの指向特性を示している。
【０２０３】
２つのアンテナで受信した受信信号を合成した合成受信信号の指向特性は、それぞれの受信信号のゲインおよび位相を制御して合成することにより制御することができる。
【０２０４】
２つのアンテナで受信した信号の位相制御は、２つの受信信号の相対的な位相を制御できればよいので、図１１（ｂ）に示すように、一方の受信信号の位相を制御する機能と、２つのアンテナの受信信号のそれぞれのゲインを制御する機能を設けて、それらのゲインおよび位相制御後の信号を合成する構成とすることで、合成受信信号の指向特性を制御することができる。
【０２０５】
図１２（ａ）〜（ｄ）は、図１１に示したアンテナ１およびアンテナ２の受信信号を、ゲイン制御および位相制御して合成した合成受信信号の指向特性を示している。
【０２０６】
図１１（ｂ）に示すアンテナ１で受信した信号に対する位相制御αおよびゲイン制御ＡＬ、アンテナ２で受信した信号に対するゲイン制御ＡＲの設定を変えることにより、図１２（ａ）〜（ｄ）に示すように合成受信信号の指向特性を制御することができる。
【０２０７】
例えば、図１１（ａ）のθ＝π／６の方向から妨害波が到来している場合には、図１２（ｂ）のようにゲイン制御ＡＬ、ＡＲ、位相制御αを設定することにより、指向性のヌルをθ＝π／６の方向に向けることができ、妨害波を除去することができる。
【０２０８】
このように、２つのアンテナの受信信号のそれぞれのゲインおよび位相差を制御することで、指向性を制御することができる。
【０２０９】
図１０に示す構成の本実施の形態３の受信装置において、希望波や妨害波の到来方向に起因して変化する検知情報を用い、特性／合成切替制御情報テーブル２４で、その検知情報に対して、第１受信特性可変部２ａおよび第２受信特性可変部２ｂのゲイン制御パラメータおよび位相制御パラメータを対応づけることにより、指向性も考慮した特性改善処理を実現することができる。
【０２１０】
例えば、ＦＭ放送の場合、中間周波数の振幅が希望波や妨害波の到来方向に応じて変化するので、第１受信入力検知部４ａおよび第２受信入力検知部４ｂのそれぞれの中間周波数振幅情報を検知情報とし、特性／合成切替制御情報テーブル２４で、それらの中間周波数振幅情報の組み合わせに対応づけたゲイン制御パラメータおよび位相制御パラメータを、第１受信特性可変部２ａおよび第２受信特性可変部２ｂに入力することで、指向性を考慮した特性改善処理を行わせることができる。
【０２１１】
テーブルを作成する際に、図７のテーブル作成システムの制御情報確定部１４は、第１受信特性可変部２ａ、第２受信特性可変部２ｂ、および合成切替部６に入力させる各パラメータのうち、いずれかのパラメータだけを変化させて各テーブルを順に作成したのに対し、図９の制御情報確定部１６は、それぞれの入力される模擬信号に対して、これら全てのパラメータを変化させて特性／合成切替制御情報テーブル２４を作成する。
【０２１２】
上記のような指向性も考慮される特性／合成切替制御情報テーブル２４を作成する際には、模擬信号として、希望波と妨害波の到来方向を変化させた複数の信号を入力していき、制御情報確定部１６が、第１受信特性可変部２ａおよび第２受信特性可変部２ｂに入力するゲイン制御パラメータおよび位相制御パラメータを変化させながら、それぞれの出力信号に対する信号特性評価部１５から取得する評価結果情報に応じて、特性／合成制御部１１に対して特性／合成切替制御情報テーブル２４への記録を指示していく。そして、それぞれの模擬信号の検知情報に対応づけるゲイン制御パラメータおよび位相制御パラメータが確定されていき、特性／合成切替制御情報テーブル２４が自動的に作成される。
【０２１３】
第１受信特性可変部２ａおよび第２受信特性可変部２ｂに入力するゲイン制御パラメータおよび位相制御パラメータも他の制御パラメータとともに変化させながら出力信号の音質評価を行い、その中で音質が最高のものを決定していくので、指向性も考慮された制御パラメータが決定されることになる。
【０２１４】
図１０に示す受信装置では、特性／合成制御部１１が、第１受信入力検知部４ａと第２受信入力検知部４ｂの両方の検知情報に基づいて、第１受信特性可変部２ａと第２受信特性可変部２ｂの制御パラメータを入力できるので、上記で作成した特性／合成切替制御情報テーブル２４を用いて、第１受信入力検知部４ａおよび第２受信入力検知部４ｂからの中間周波数振幅情報も含んでいる検知情報に基づいて制御パラメータを決定し、第１受信特性可変部２ａおよび第２受信特性可変部２ｂに入力することにより、指向性まで考慮された品質の高い出力信号を出力させることができる。
【０２１５】
図１０に示す受信装置は、このような特性／合成切替制御情報テーブル２４を用いることにより、例えば送信局を同一とするマルチパス妨害波や送信局が異なる他放送局の同一チャンネル妨害波などの、妨害波が希望波と同一周波数の妨害も高レベルに排除することができる。
【０２１６】
なお、このような指向性を考慮した特性／合成切替制御情報テーブル２４は、希望波や妨害波の方向を検出することなく自動的に作成され、また、その特性／合成切替制御情報テーブル２４を用いて特性改善処理する際にも、希望波や妨害波の方向を検出する必要はなく、その特性／合成切替制御情報テーブル２４を利用するだけで指向性まで考慮した特性改善処理を実現できる。
【０２１７】
なお、図７〜図１０に示すブロック図の各ブロックは、機能的なブロックを記載したものであり、必ずしもハード的な構成と一致するものではない。例えば、第１特性制御部５ａ、第２特性制御部５ｂ、および合成切替制御部７の機能を１つの構成部分が処理するようにしてもよいし、第１制御情報テーブル２１ａ、第２制御情報テーブル２１ｂ、および合成切替テーブル２２が、相互に関連するようなテーブルであってもよいし、１つのデータベースで実現されるような構成であってもよい。また、第１制御情報テーブル２１ａと第２制御情報テーブル２１ｂが、共通の１つのテーブルであってもよい。
【０２１８】
また、本実施の形態３の図８、図１０においては、受信装置が制御情報確定部１４、１６、信号特性評価部１５を含まない構成としたが、受信装置にこれらの機能を組み込み、図７や図９のテーブル作成システムと同様の構成としてもよい。
【０２１９】
その場合、実施の形態２の受信装置と同様にして、ユーザの使用環境において第１アンテナ２０ａおよび第２アンテナ２０ｂから受信する放送電波を用いて、第１制御情報テーブル２１ａ、第２制御情報テーブル２１ｂ、合成切替テーブル２２、特性／合成切替制御情報テーブル２４を作成または更新する。
【０２２０】
（実施の形態４）
図１３に、本発明の実施の形態４の受信装置のテーブル作成システムのブロック図を示す。
【０２２１】
図１の実施の形態１のテーブル作成システムと同じ構成部分には、同じ符号を用いている。以下、実施の形態１のテーブル作成システムと異なる点について説明する。
【０２２２】
本実施の形態４のテーブル作成システムは、受信装置を構成する部分に、受信特性可変部２の出力信号を復調する復調部１０が設けられている点が、図１の実施の形態１のテーブル作成システムと異なる。
【０２２３】
復調部１０は、具体的には、全般的な復調系機能、もしくは振幅変調（ＡＭ）、周波数変調（ＦＭ）などに対するアナログ復調機能、もしくはパルス・コード変調（ＰＣＭ）、時分割多重変調（ＴＤＭ）、周波数多重変調（ＦＤＭ）、直交周波数多重変調（ＯＦＤＭ）などに対するデジタル復調機能などを有している。
【０２２４】
図１３に示す本実施の形態４の受信特性可変部２は、復調される以前の信号を処理する。この受信特性可変部２において処理される信号が復調される以前の信号である以外は、図１に示した実施の形態１のテーブル作成システムの動作と同じである。前述したように、図１に示す実施の形態１のテーブル作成システムでは、受信部１やさらにその前段に復調機能を有しているので、図１の場合には、受信特性可変部２は復調された信号を処理する。
【０２２５】
本実施の形態４のテーブル作成システムでは、受信特性可変部２において復調される以前の信号の特性が可変されることにより、より受信入力に近い状態の信号において受信信号特性を可変できるので、実施の形態１のテーブル作成システムと比較して、信号特性評価部１３の評価分解能をさらに向上させることが可能となり、それによって制御情報テーブル２５に記録している関係情報の分解能がさらに高まり、結果として実施の形態１の受信装置よりも音質改善処理の精度をさらに高めた受信性能を常に発揮させることができる。
【０２２６】
図１４に、本実施の形態４の他の構成の受信装置のテーブル作成システムのブロック図を示す。実施の形態３の図９のテーブル作成システムと同じ構成部分には、同じ符号を用いている。以下、図９のテーブル作成システムと異なる点について説明する。
【０２２７】
図１４に示すテーブル作成システムは、受信装置の構成部分に、合成切替部６の出力信号を復調する復調部１０が設けられている点が、図９のテーブル作成システムの構成と異なる。
【０２２８】
図１４に示すテーブル作成システムの合成切替部６は、復調される以前の信号に対して、合成もしくは切り替えの処理をする。この合成切替部６が処理する信号が復調される以前の信号である以外は図９に示した実施の形態３のテーブル作成システムの動作と同じである。
【０２２９】
図１４に示す本実施の形態４のテーブル作成システムでは、合成切替部６において復調される以前の信号が合成もしくは切り替えされることにより、より受信入力に近い状態の信号において合成もしくは切り替えることができるので、実施の形態３の図９に示すテーブル作成システムと比較して、信号特性評価部１５の評価分解能をさらに向上させることが可能となり、それによって特性／合成切替制御情報テーブル２４に記録している関係情報の分解能がさらに高まり、結果として実施の形態３の図１０に示す受信装置よりもダイバーシティ受信における音質改善処理の精度をさらに高めた受信性能を常に発揮させることができる。
【０２３０】
なお、図７に示す実施の形態３のテーブル作成システムの構成においても、同様にして、合成切替部６の出力を復調する復調部を設けることにより、図８の受信装置よりもさらに高レベルの受信性能を発揮させることができる。
【０２３１】
また、本実施の形態４においては、受信装置が制御情報確定部１２、１６、信号特性評価部１３、１５を含まない構成としたが、実施の形態２の受信装置の構成と同様に、受信装置にこれらの機能を組み込み、図１３や図１４のテーブル作成システムと同様の構成としてもよい。
【０２３２】
その場合、実施の形態２の受信装置と同様にして、ユーザの使用環境においてアンテナ２０、第１アンテナ２０ａおよび第２アンテナ２０ｂから受信する放送電波を用いて、制御情報テーブル２５や特性／合成切替制御情報テーブル２４を作成または更新する。
【０２３３】
（実施の形態５）
図１５に、本発明の実施の形態５の受信装置のテーブル作成システムのブロック図を示す。
【０２３４】
図１４の実施の形態４のテーブル作成システムと同じ構成部分には、同じ符号を用いている。以下、図１４に示す実施の形態４のテーブル作成システムと異なる点について説明する。
【０２３５】
本実施の形態５のテーブル作成システムは、受信装置を構成する部分に、第３受信特性可変部８がさらに設けられている点が、図１４に示す実施の形態４のテーブル作成システムと異なる。
【０２３６】
第３受信特性可変部８は、特性／合成制御部３１から入力される制御パラメータにしたがって、合成切替部６から出力され復調された信号の特性改善処理を行う。
【０２３７】
本実施の形態５の特性／合成制御部３１が参照する特性／合成切替制御情報テーブル２４には、第１受信入力検知部４ａで検知された検知情報および第２受信入力検知部４ｂで検知された検知情報の両方の検知情報の組み合わせと、それらの検知情報が得られた際の合成切替部６で合成され出力される信号の特性を第３受信特性可変部８によって最適な特性に改善できる第３受信特性可変部８に入力する制御パラメータと、が対応づけられた関係情報も予め格納しておく。
【０２３８】
本実施の形態５のテーブル作成システムで作成した特性／合成切替制御情報テーブル２４を組み込んだ受信装置では、特性／合成制御部３１は、第１受信入力検知部４ａおよび第２受信入力検知部４ｂからの検知情報を取得すると、特性／合成切替制御情報テーブル２４を参照して、第１受信特性可変部２ａ、第２受信特性可変部２ｂ、および合成切替部６に入力する各パラメータを決定して入力するとともに、第３受信特性可変部８に入力する制御パラメータも決定して、その制御パラメータを第３受信特性可変部８に入力する。
【０２３９】
テーブルを作成する際に、図９に示す実施の形態３のテーブル作成システムの制御情報確定部１６は、第１受信特性可変部２ａ、第２受信特性可変部２ｂ、および合成切替部６に入力させる各パラメータを変化させて特性／合成切替制御情報テーブル２４を作成したのに対し、本実施の形態５の制御情報確定部１９は、それぞれの入力される模擬信号に対して、さらに第３受信特性可変部８に入力する制御パラメータも変化させて特性／合成切替制御情報テーブル２４を作成する。
【０２４０】
受信装置において特性／合成切替制御情報テーブル２４に予め設定しておくための第３受信特性可変部８に入力する制御パラメータの情報は、制御情報確定部１９が、第１受信部１ａおよび第２受信部１ｂの両方に模擬信号を供給しながら、第１受信特性可変部２ａ、第２受信特性可変部２ｂ、合成切替部６、および第３受信特性可変部８に入力する各パラメータを順次変化させて、第３受信特性可変部８の出力信号を評価した信号特性評価部１５の評価結果情報に応じて特性／合成制御部３１に記録の指示を行うことにより、第１受信入力検知部４ａおよび第２受信入力検知部４ｂの両方の検知情報の組み合わせに対応づける他のパラメータと共に決定されていく。
【０２４１】
本実施の形態５の受信装置では、合成切替部６で合成され復調された信号に対して、さらに特性改善処理を行うので、実施の形態４の図１４の構成の受信装置よりもさらに高レベルの受信性能を発揮させることができる。
【０２４２】
なお、図７に示す実施の形態３のテーブル作成システムの構成においても、同様にして、合成切替部６の出力をさらに改善する第３受信特性可変部を設けることにより、図８の受信装置よりもさらに高レベルの受信性能を発揮させることができる。
【０２４３】
また、本実施の形態５においては、受信装置が制御情報確定部１９および信号特性評価部１５を含まない構成としたが、実施の形態２の受信装置の構成と同様に、受信装置にこれらの機能を組み込み、図１５のテーブル作成システムと同様の構成としてもよい。
【０２４４】
その場合、実施の形態２の受信装置と同様にして、ユーザの使用環境において第１アンテナ２０ａおよび第２アンテナ２０ｂから受信する放送電波を用いて、特性／合成切替制御情報テーブル２４を作成または更新する。
【０２４５】
なお、各実施の形態では、放送電波によって音声データを受信する場合について説明したが、本発明の対応関係情報作成システム、受信装置、および特性制御関係情報作成方法等は、放送電波によって受信する映像データの場合についても適用できる。
【０２４６】
なお、本発明のプログラムは、上述した本発明の対応関係情報作成システムまたは受信装置の、信号の特性を参照信号の特性と比較して違いの程度を評価し評価結果情報を出力する前記信号特性評価部、前記評価結果情報が所定の条件を満たす場合に、その入力した前記特性制御情報とそのときの前記検知情報との対応づけを確定する前記制御情報確定部の機能をコンピュータにより実行させるためのプログラムであって、コンピュータと協働して動作するプログラムである。
【０２４７】
また、本発明の記録媒体は、上述した本発明の対応関係情報作成システムまたは受信装置の、信号の特性を参照信号の特性と比較して違いの程度を評価し評価結果情報を出力する前記信号特性評価部、前記評価結果情報が所定の条件を満たす場合に、その入力した前記特性制御情報とそのときの前記検知情報との対応づけを確定する前記制御情報確定部の機能をコンピュータにより実行させるためのプログラムを記録した記録媒体であり、コンピュータにより読み取り可能かつ、読み取られた前記プログラムが前記コンピュータと協働して利用される記録媒体である。
【０２４８】
また、本発明のプログラムの一利用形態は、コンピュータにより読み取り可能な、ＲＯＭ等の記録媒体に記録され、コンピュータと協働して動作する態様であっても良い。
【０２４９】
また、本発明のプログラムの一利用形態は、インターネット等の伝送媒体、光・電波等の伝送媒体中を伝送し、コンピュータにより読みとられ、コンピュータと協働して動作する態様であっても良い。
【０２５０】
また、上述した本発明のコンピュータは、ＣＰＵ等の純然たるハードウェアに限らず、ファームウェアや、ＯＳ、更に周辺機器を含むものであっても良い。
【０２５１】
なお、以上説明した様に、本発明の構成は、ソフトウェア的に実現しても良いし、ハードウェア的に実現しても良い。
【産業上の利用可能性】
【０２５２】
本発明にかかる対応関係情報作成システム、受信装置、および特性制御関係情報作成方法等は、受信信号の特性を改善処理するために使用される、検知情報と制御情報を関係づけるテーブルを自動的に作成できる効果を有し、放送および通信の分野における対応関係情報作成システム、受信装置および特性制御関係情報作成方法等として有用である。
【図面の簡単な説明】
【０２５３】
【図１】本発明の実施の形態１の受信装置のテーブル作成システムのブロック図
【図２】（ａ）本発明の実施の形態１のテーブル作成システムの、テーブル作成フローを示す図、（ｂ）本発明の実施の形態１の受信装置の特性制御情報の設定フローを示す図
【図３】本発明の実施の形態１のテーブル作成システムの、テーブル作成処理内容を説明する図
【図４】本発明の実施の形態１のテーブル作成システムで作成した制御情報テーブルを示す図
【図５】本発明の実施の形態１の受信装置のブロック図
【図６】本発明の実施の形態２の受信装置のブロック図
【図７】本発明の実施の形態３の受信装置のテーブル作成システムのブロック図
【図８】本発明の実施の形態３の受信装置のブロック図
【図９】本発明の実施の形態３の、他の構成の受信装置のテーブル作成システムのブロック図
【図１０】本発明の実施の形態３の他の構成の受信装置のブロック図
【図１１】（ａ）アレーアンテナ合成のアレーアンテナが受信する電波の方向を示す図、（ｂ）受信信号を合成するアレーアンテナの構成模式図、（ｃ）アンテナ１の指向特性を示す図、（ｄ）アンテナ２の指向特性を示す図
【図１２】（ａ）〜（ｄ）図１１に示したアンテナ１およびアンテナ２の受信信号を、ゲイン制御および位相制御して合成した合成受信信号の指向特性を示す図
【図１３】本発明の実施の形態４の受信装置のテーブル作成システムのブロック図
【図１４】本発明の実施の形態４の、他の構成の受信装置のテーブル作成システムのブロック図
【図１５】本発明の実施の形態５の受信装置のテーブル作成システムのブロック図
【図１６】従来のＦＭ放送受信装置のブロック図
【符号の説明】
【０２５４】
１  受信部
１ａ  第１受信部
１ｂ  第２受信部
２  受信特性可変部
２ａ  第１受信特性可変部
２ｂ  第２受信特性可変部
３ａ  第１特性改善受信ユニット
３ｂ  第２特性改善受信ユニット
４  受信入力検知部
４ａ  第１受信入力検知部
４ｂ  第２受信入力検知部
５、１７  特性制御部
５ａ  第１特性制御部
５ｂ  第２特性制御部
６  合成切替部
７  合成切替制御部
８  第３受信特性可変部
１０  復調部
１１、３１  特性／合成制御部
１２、１４、１６、１８、１９  制御情報確定部
１３、１５  信号特性評価部
２０  アンテナ
２０ａ  第１アンテナ
２０ｂ  第２アンテナ
２１ａ  第１制御情報テーブル
２１ｂ  第２制御情報テーブル
２２  合成切替テーブル
２３ａ  第１受信ユニット
２３ｂ  第２受信ユニット
２４  特性／合成切替制御情報テーブル
２５  制御情報テーブル
【図１】
2008199127.tif 000003
【図２】
2008199127.tif 000004
【図３】
2008199127.tif 000005
【図４】
2008199127.tif 000006
【図５】
2008199127.tif 000007
【図６】
2008199127.tif 000008
【図７】
2008199127.tif 000009
【図８】
2008199127.tif 000010
【図９】
2008199127.tif 000011
【図１０】
2008199127.tif 000012
【図１１】
2008199127.tif 000013
【図１２】
2008199127.tif 000014
【図１３】
2008199127.tif 000015
【図１４】
2008199127.tif 000016
【図１５】
2008199127.tif 000017
【図１６】
2008199127.tif 000018